(57)【要約】  【課題】  記録媒体を記録再生装置に挿入することなく、当該記録媒体に記録されたコンテンツに関する情報を参照できる記録媒体、記録再生装置、および遠隔操作装置、並びに携帯情報端末を提供する。  【解決手段】  記録媒体１０は、記録層以外の箇所に、非接触で読み取り可能なＩＣタグ１１を備え、当該記録媒体に固有に割り当てられた媒体識別子を含む媒体情報を格納する。記録再生装置１００は、記録媒体１０のＩＣタグ１１に格納された媒体情報から、少なくとも媒体識別子を取得するＩＣタグ読取部１０１と、記録媒体１０の記録層に記録されたコンテンツに関するコンテンツ情報を、媒体識別子に関連付けて記憶したコンテンツリスト記憶部１０３から、ＩＣタグ読取部１０１が取得した媒体識別子に対応するコンテンツ情報を検索する検索部１０２と、検索部１０２による検索結果を表示装置２０へ表示させる表示制御部１１０とを備える。【選択図】  図３
2005302135.tif 000002
【特許請求の範囲】
【請求項１】
コンテンツを記録する記録層を有する記録媒体であって、
前記記録層以外の箇所に、非接触で読み取り可能な非接触記憶部を備え、
前記非接触記憶部が、当該記録媒体に固有に割り当てられた媒体識別子を含む媒体情報を格納していることを特徴とする記録媒体。
【請求項２】
前記非接触記憶部が、ＩＣタグである、請求項１に記載の記録媒体。
【請求項３】
前記非接触記憶部が、バーコードである、請求項１に記載の記録媒体。
【請求項４】
前記媒体情報が、前記記録層に記録されたコンテンツに関するコンテンツ情報をさらに含む、請求項１〜３のいずれかに記載の記録媒体。
【請求項５】
請求項１〜３のいずれかに記載の記録媒体の前記非接触記憶部に格納された前記媒体情報から、少なくとも前記媒体識別子を取得する媒体情報取得部と、
前記記録媒体の記録層に記録されたコンテンツに関するコンテンツ情報を、前記媒体識別子に関連付けて記憶したコンテンツ情報記憶部から、前記媒体情報取得部が取得した媒体識別子に対応するコンテンツ情報を検索する検索部と、
前記検索部による検索結果を表示装置へ表示させる表示制御部とを備えたことを特徴とする記録再生装置。
【請求項６】
前記媒体情報取得部が、記録再生装置に取り付けられ、前記非接触記憶部に格納された媒体情報のうち、少なくとも媒体識別子を読み取る非接触読取部である、請求項５に記載の記録再生装置。
【請求項７】
前記記録再生装置の遠隔操作装置に、前記非接触記憶部に格納された媒体情報のうち、少なくとも媒体識別子を読み取る非接触読取部が設けられ、
前記媒体情報取得部は、前記非接触読取部により読み取られた媒体識別子を、前記遠隔操作装置から無線通信により受信する、請求項５に記載の記録再生装置。
【請求項８】
前記記録再生装置と通信可能な携帯情報端末に、前記非接触記憶部に格納された媒体情報のうち、少なくとも媒体識別子を読み取る非接触読取部が設けられ、
前記媒体情報取得部は、前記非接触読取部により読み取られた媒体識別子を、前記携帯情報端末から受信する、請求項５に記載の記録再生装置。
【請求項９】
前記コンテンツ情報記憶部が、記録再生装置内に設けられた、請求項５に記載の記録再生装置。
【請求項１０】
前記コンテンツ情報記憶部が、記録再生装置外に設けられ、
前記コンテンツ情報記憶部と、通信網を介して通信する通信制御部をさらに備えた、請求項５に記載の記録再生装置。
【請求項１１】
前記表示装置が、記録再生装置に接続されたテレビ受像機である、請求項５に記載の記録再生装置。
【請求項１２】
前記表示装置が、記録再生装置に設けられた表示パネルである、請求項５に記載の記録再生装置。
【請求項１３】
前記表示装置が、携帯情報端末の表示パネルである、請求項８に記載の記録再生装置。
【請求項１４】
請求項４に記載の記録媒体の前記非接触記憶部から、前記媒体情報を読み取る非接触読取部と、
前記非接触読取部による読取結果を表示装置に表示させる表示制御部とを備えたことを特徴とする記録再生装置。
【請求項１５】
前記コンテンツ情報記憶部が、各コンテンツの代表画像をさらに記憶し、
前記表示制御部が、前記コンテンツ情報と共に前記代表画像を表示装置に表示させる、請求項５または１４に記載の記録再生装置。
【請求項１６】
記録媒体の総容量と、当該記録媒体の記録済み容量とに基づいて、記録媒体の残容量を演算する残量演算部をさらに備え、
前記表示制御部が、前記コンテンツ情報と共に前記残容量を前記表示装置に表示させる、請求項５または１４に記載の記録再生装置。
【請求項１７】
記録再生装置の遠隔操作装置であって、
請求項１〜３のいずれかに記載の記録媒体の前記非接触記憶部に格納された前記媒体情報から、少なくとも前記媒体識別子を読み取る非接触読取部と、
前記媒体識別子を前記記録再生装置へ送信する媒体識別子送信部と、
前記記録媒体の記録層に記録されたコンテンツ情報を前記媒体識別子に関連付けて記憶したコンテンツ情報記憶部から、前記媒体識別子に基づいて、前記媒体識別子に対応するコンテンツ情報を検索した結果を、前記記録再生装置から受信する検索結果受信部と、
表示パネルと、
前記検索結果受信部が受信したコンテンツ情報を前記表示パネルに表示させる表示制御部とを備えたことを特徴とする記録再生装置の遠隔操作装置。
【請求項１８】
記録再生装置の遠隔操作装置であって、
請求項４に記載の記録媒体の前記非接触記憶部から、前記媒体情報を読み取る非接触読取部と、
表示パネルと、
前記非接触読取部による読取結果を前記表示パネルに表示させる表示制御部とを備えたことを特徴とする記録再生装置の遠隔操作装置。
【請求項１９】
記録再生装置と通信可能な携帯情報端末であって、
請求項１〜３のいずれかに記載の記録媒体の前記非接触記憶部に格納された前記媒体情報から、少なくとも前記媒体識別子を読み取る非接触読取部と、
前記媒体識別子を前記記録再生装置へ送信する媒体識別子送信部と、
前記記録媒体の記録層に記録されたコンテンツ情報を前記媒体識別子に関連付けて記憶したコンテンツ情報記憶部から、前記媒体識別子に基づいて、前記媒体識別子に対応するコンテンツ情報を検索した結果を、前記記録再生装置から受信する検索結果受信部と、
表示パネルと、
前記検索結果受信部が受信したコンテンツ情報を前記表示パネルに、表示させる表示制御部とを備えたことを特徴とする携帯情報端末。
【請求項２０】
記録再生装置と通信可能な携帯情報端末であって、
請求項４に記載の記録媒体の前記非接触記憶部から、前記媒体情報を読み取る非接触読取部と、
表示パネルと、
前記非接触読取部による読取結果を前記表示パネルに表示させる表示制御部とを備えたことを特徴とする携帯情報端末。
【請求項２１】
請求項１〜３のいずれかに記載の記録媒体の前記非接触記憶部に格納された前記媒体情報から、少なくとも前記媒体識別子を読み取る非接触読取部と、
前記記録媒体の記録層に記録されたコンテンツに関するコンテンツ情報を、前記媒体識別子に関連付けて記憶したコンテンツ情報記憶部と、
前記非接触読取部が読み取った前記媒体識別子に対応するコンテンツ情報を検索する検索部と、
表示パネルと、
前記検索部による検索結果を前記表示パネルに、表示させる表示制御部とを備えたことを特徴とする携帯情報端末。
【請求項２２】
前記コンテンツ情報記憶部が、脱着可能な補助記憶媒体である、請求項２１に記載の携帯情報端末。
【請求項２３】
記録媒体に記録されたコンテンツに関するコンテンツ情報を記憶するコンテンツ情報記憶部と、
録画予約されたコンテンツに関する録画予約情報を記憶する録画予約情報記憶部とを備え、前記録画予約されたコンテンツを記録媒体へ記録する記録再生装置であって、
前記コンテンツ情報が、当該記録媒体の残容量を表す情報を含み、
前記録画予約情報が、前記録画予約されたコンテンツの録画所要時間を表す情報を含み、
前記記録再生装置は、
前記録画所要時間と、前記記録媒体の残容量を表す情報とに基づいて、前記コンテンツ情報記憶部にコンテンツ情報が記憶されている記録媒体について、前記録画予約されたコンテンツを記録可能か否かを判断する判断部と、
前記判断部による判断結果を表示する表示装置とを備えたことを特徴とする記録再生装置。
【請求項２４】
記録媒体に記録されたコンテンツに関するコンテンツ情報を記憶するコンテンツ情報記憶部と、
録画予約されたコンテンツに関する録画予約情報を記憶する録画予約情報記憶部とを備え、前記録画予約されたコンテンツを記録媒体へ記録する記録再生装置であって、
前記コンテンツ情報が、当該記録媒体に記録されたコンテンツのラベル情報を含む記録済コンテンツ情報を含み、
前記録画予約情報が、前記録画予約されたコンテンツのラベル情報を含み、
前記記録再生装置は、
前記録画予約情報に含まれる前記ラベル情報を検索キーとして、前記記録済コンテンツ情報を検索することにより、前記コンテンツ情報記憶部にコンテンツ情報が記憶されている前記記録媒体の中に、前記録画予約されたコンテンツと同じラベル情報を有するコンテンツが記録されている記録媒体があるか否かを判断する判断部と、
前記判断部による判断結果を表示する表示装置とを備えたことを特徴とする記録再生装置。
【請求項２５】
記録再生装置と、前記記録再生装置の遠隔操作装置とを含む記録再生装置セットであって、
前記遠隔操作装置は、
請求項１〜３のいずれかに記載の記録媒体の前記非接触記憶部に格納された前記媒体情報から、少なくとも前記媒体識別子を読み取る非接触読取部と、
前記記録再生装置との間で無線通信を行う通信部とを備え、
前記記録再生装置は、
前記遠隔操作装置との間で無線通信を行う通信部と、
複数の記録媒体について、各記録媒体に記録されたコンテンツに関するコンテンツ情報を記憶するコンテンツ情報記憶部とを備え、
前記遠隔操作装置が、記録媒体から前記非接触読取部で読み取った前記媒体識別子を前記通信部により記録再生装置へ送信し、
前記記録再生装置が、前記通信部により前記媒体識別子を受信し、当該媒体識別子に基づいて前記コンテンツ情報記憶部を検索した結果を、表示装置へ表示することを特徴とする記録再生装置セット。
【請求項２６】
記録再生装置と、前記記録再生装置の遠隔操作装置とを含む記録再生装置セットであって、
前記遠隔操作装置は、
請求項１〜３のいずれかに記載の記録媒体の前記非接触記憶部に格納された前記媒体情報から、少なくとも前記媒体識別子を読み取る非接触読取部と、
前記記録再生装置との間で無線通信を行う通信部と、
表示パネルとを備え、
前記記録再生装置は、
前記遠隔操作装置との間で無線通信を行う通信部と、
複数の記録媒体について、各記録媒体に記録されたコンテンツに関するコンテンツ情報を記憶するコンテンツ情報記憶部と、
録画予約されたコンテンツに関する録画予約情報を記憶する録画予約情報記憶部とを備え、
前記コンテンツ情報は、各記録媒体の残容量を表す情報を含み、
前記録画予約情報は、前記録画予約されたコンテンツの録画所要時間を表す情報を含み、
前記遠隔操作装置が、記録媒体から前記非接触読取部で読み取った前記媒体識別子を前記通信部により記録再生装置へ送信し、
前記記録再生装置が、前記通信部により前記媒体識別子を受信し、前記録画所要時間と、前記各記録媒体の残容量を表す情報とに基づいて、当該媒体識別子を有する記録媒体が前記録画予約されたコンテンツを記録可能か否かの判断結果を前記通信部により前記遠隔操作装置へ送信し、
前記遠隔操作装置において、前記通信部により前記判断結果を受信し、受信した判断結果を前記表示パネルに表示することを特徴とする記録再生装置セット。
【発明の詳細な説明】
【技術分野】
【０００１】
本発明は、コンテンツを記録する記録層を有する記録媒体と、その記録再生装置および遠隔操作装置、並びに携帯情報端末に関する。
【背景技術】
【０００２】
従来より、大容量の記録媒体としてはＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光ディスクが用いられている。しかし、書き込みのできない読み出し専用のＲＯＭ（Ｒｅａｄ−Ｏｎｌｙ−Ｍｅｍｏｒｙ）としての用途が主であった。しかし、近年ＣＤ−Ｒ（Ｃｏｍｐａｃｔ  Ｄｉｓｃ  Ｒｅｃｏｒｄａｂｌｅ）、ＣＤ−Ｒ／Ｗ（Ｃｏｍｐａｃｔ  Ｄｉｓｃ  Ｒｅｗｒｉｔａｂｌｅ）等のように、書き込み可能な光ディスクおよびそれらに書き込み可能な記録装置の技術が提供され、一般的に用いられるようになっている。
【０００３】
また、上記の光ディスクは大容量の記録容量を持っている。例えば、ＣＤは約５５０〜７００ＭＢ、ＤＶＤは約４．７ＧＢ（片面１層）〜８．５ＧＢ（片面２層）、ＢＤ（Ｂｌｕ−ｒａｙ  Ｄｉｓｃ）は約２３．３ＧＢ（片面１層）〜５０ＧＢ（片面２層）の記録容量があり、今後も大容量化は進むことが予想される。書き込みが可能となり、大容量化が進んだことから、近年ではＤＶＤ−Ｒ（Ｄｉｇｉｔａｌ  Ｖｅｒｓａｔｉｌｅ  Ｄｉｓｃ  Ｒｅｃｏｒｄａｂｌｅ）等の大容量の記録容量を持つ光ディスクを、テレビ番組録画を初めとする動画保存用途等に使用することも多い。
【０００４】
一方で、記録媒体の大容量化が進んだため記録番組数も多数となり、ユーザが各記録媒体に何の番組を録画したのかを記憶しておくことは困難である。しかし、記録媒体に特定の領域をあらかじめ確保し、当該領域にコンテンツのタイトル、コンテンツの概略情報等を記録しておき、記録再生装置に当該記録媒体を挿入し、記録再生装置が当該記録媒体の特定領域を読み込むことにより、記録媒体に録画された複数のコンテンツ等を一覧にして表示する機能が提供されている（例えば、特許文献１）。また、記録媒体に録画された複数の番組等を一覧として表示する際に、ユーザが分かり易いように、画像を共に表示するサムネイル機能を有した記録再生装置も提案されている。
【特許文献１】特開２００４−４７０６４号公報
【発明の開示】
【発明が解決しようとする課題】
【０００５】
しかしながら、従来の記録媒体および記録再生装置では、記録媒体に記録された内容を参照するためには、記録再生装置に挿入しなければならない。また、記録媒体を従来の記録再生装置に挿入後、記録媒体の読み込みに時間がかかるため、記録された内容を画面に表示するまでの時間も遅くなるという問題もあった。
【０００６】
本発明は、上記従来の課題を解決するもので、記録媒体に非接触記憶部を用いて当該記録媒体の固有情報を格納しておけば、記録再生装置に挿入することなく、当該記録媒体に記録されたコンテンツに関する情報を参照することができる記録再生装置、遠隔操作装置および携帯情報端末を提供することを目的とする。
【課題を解決するための手段】
【０００７】
上記課題を解決するために、本発明の記録媒体は、コンテンツを記録する記録層を有する記録媒体であって、前記記録層以外の箇所に、非接触で読み取り可能な非接触記憶部を備え、前記非接触記憶部が、当該記録媒体に固有に割り当てられた媒体識別子を含む媒体情報を格納していることを特徴とする。なお、この構成にかかる記録媒体を、以下、「第一の記録媒体」と称する。
【０００８】
上記課題を解決するために、本発明の記録再生装置は、かかる前記第一の記録媒体の前記非接触記憶部に格納された前記媒体情報から、少なくとも前記媒体識別子を取得する媒体情報取得部と、前記記録媒体の記録層に記録されたコンテンツに関するコンテンツ情報を、前記媒体識別子に関連付けて記憶したコンテンツ情報記憶部から、前記媒体情報取得部が取得した媒体識別子に対応するコンテンツ情報を検索する検索部と、前記検索部による検索結果を表示装置へ表示させる表示制御部とを備えたことを特徴とする。
【発明の効果】
【０００９】
本発明にかかる記録媒体、記録再生装置およびその遠隔操作装置ならびに携帯情報端末によれば、記録媒体を記録再生装置に挿入することなく、当該記録媒体に記録されたコンテンツに関する情報を参照できる。
【発明を実施するための最良の形態】
【００１０】
本発明の第一の記録媒体は、コンテンツを記録する記録層を有する記録媒体であって、前記記録層以外の箇所に、非接触で読み取り可能な非接触記憶部を備え、前記非接触記憶部が、当該記録媒体に固有に割り当てられた媒体識別子を含む媒体情報を格納していることを特徴とする。
【００１１】
前記第一の記録媒体によれば、記録媒体固有の媒体識別子を非接触読取部から、当該記録媒体に接触することなく読み取ることができる。これにより、当該媒体識別子に関連付けられた当該記録媒体のコンテンツ情報が記憶されたコンテンツ情報記憶部を参照すれば、当該記録媒体のコンテンツ情報を参照することができる。
【００１２】
本発明にかかる第一の記録媒体において、前記非接触記憶部が、ＩＣタグであることが好ましい。
【００１３】
本発明にかかる第一の記録媒体において、前記非接触記憶部が、バーコードであることが好ましい。なお、バーコードには、二次元バーコード（ＱＲコード等）も含む。
【００１４】
本発明にかかる第二の記録媒体は、前記第一の記録媒体において前記媒体情報が、前記記録層に記録されたコンテンツに関するコンテンツ情報をさらに含む構成である。記録媒体の非接触記憶部の中身を読み取ることで、当該記録媒体のコンテンツ情報を取得することができる。
【００１５】
本発明にかかる記録再生装置は、前記第一の記録媒体の前記非接触記憶部に格納された前記媒体情報から、少なくとも前記媒体識別子を取得する媒体情報取得部と、前記記録媒体の記録層に記録されたコンテンツに関するコンテンツ情報を、前記媒体識別子に関連付けて記憶したコンテンツ情報記憶部から、前記媒体情報取得部が取得した媒体識別子に対応するコンテンツ情報を検索する検索部と、前記検索部による検索結果を表示装置へ表示させる表示制御部とを備えたことを特徴とする。前記記録再生装置によれば、媒体情報取得部が、記録媒体の非接触記憶部に格納された媒体識別子を取得し、当該媒体識別子に基づいてコンテンツ情報記憶部から当該記録媒体のコンテンツ情報を取得して、表示装置に表示することができる。これにより、記録媒体を記録再生装置に挿入することなく、当該記録媒体のコンテンツ情報を表示することができる。
【００１６】
本発明にかかる記録再生装置において、前記媒体情報取得部が、記録再生装置に取り付けられ、前記非接触記憶部に格納された媒体情報のうち、少なくとも媒体識別子を読み取る非接触読取部であることが好ましい。これにより、ユーザは、記録再生装置の非接触読取部へ記録媒体を近づけるだけで、当該記録媒体のコンテンツ情報を表示することができる。
【００１７】
本発明にかかる記録再生装置において、前記記録再生装置の遠隔操作装置に、前記非接触記憶部に格納された媒体情報のうち、少なくとも媒体識別子を読み取る非接触読取部が設けられ、前記媒体情報取得部は、前記非接触読取部により読み取られた媒体識別子を、前記遠隔操作装置から無線通信により受信することが好ましい。記録再生装置の遠隔操作装置が、記録媒体の媒体識別子を非接触記憶部から読み取り、記録再生装置へ送信する。検索部は、送信された媒体識別子を検索キーとして、コンテンツ情報記憶部を検索し、検索結果が表示される。これにより、記録再生装置に記録媒体を挿入することなく、遠隔操作装置に取り付けられた非接触読取部で、記録媒体から媒体識別子を読み取ることにより、当該記録媒体のコンテンツ情報を表示できる。
【００１８】
本発明にかかる記録再生装置において、前記記録再生装置と通信可能な携帯情報端末に、前記非接触記憶部に格納された媒体情報のうち、少なくとも媒体識別子を読み取る非接触読取部が設けられ、前記媒体情報取得部は、前記非接触読取部により読み取られた媒体識別子を、前記携帯情報端末から受信することが好ましい。携帯情報端末が、記録媒体の媒体識別子を非接触記憶部から読み取り、記録再生装置へ送信する。送信された媒体識別子を検索キーとして、コンテンツ情報記憶部が検索され、検索結果が表示される。これにより、記録再生装置に記録媒体を挿入することなく、携帯情報端末に取り付けられた非接触読取部で、記録媒体から媒体識別子を読み取ることにより、当該記録媒体のコンテンツ情報を表示できる。
【００１９】
本発明にかかる記録再生装置において、前記コンテンツ情報記憶部が、記録再生装置内に設けられたことが好ましい。
【００２０】
本発明にかかる記録再生装置において、前記コンテンツ情報記憶部が、記録再生装置外に設けられ、前記コンテンツ情報記憶部と、通信網を介して通信する通信制御部をさらに備えたことが好ましい。これにより、通信網を介して、コンテンツ情報記憶部へアクセスできるため、記録再生装置にコンテンツ情報を記憶するためのコンテンツ情報記憶部を備える必要が無くなる。通信網は、例えばＬＡＮまたはインターネット等である。
【００２１】
本発明にかかる記録再生装置において、前記表示装置が、記録再生装置に接続されたテレビ受像機であることが好ましい。
【００２２】
本発明にかかる記録再生装置において、前記表示装置が、記録再生装置に設けられた表示パネルであることが好ましい。これにより、テレビ受像機が電源オフまたはスタンバイ状態であっても、記録再生装置の表示パネルに記録媒体のコンテンツ情報を表示することができる。
【００２３】
本発明にかかる記録再生装置において、前記表示装置が、携帯情報端末の表示パネルであることが好ましい。ユーザは、携帯情報端末で媒体識別子を読み取らせた後、手元の携帯情報端末の表示パネルで検索結果を確認することができる。
【００２４】
本発明にかかる記録再生装置は、前記第二の記録媒体の前記非接触記憶部から、前記媒体情報を読み取る非接触読取部と、前記非接触読取部による読取結果を表示装置に表示させる表示制御部とを備えたことを特徴とする。前記記録再生装置によれば、記録媒体のコンテンツ情報が、当該記録媒体の非接触記憶部に格納されており、当該非接触記憶部からコンテンツ情報を取得することにより、記録再生装置内にコンテンツ情報記憶部を保持せずに、記録媒体のコンテンツ情報を表示することができる。
【００２５】
本発明にかかる記録再生装置において、前記コンテンツ情報記憶部が、各コンテンツの代表画像をさらに記憶し、前記表示制御部が、前記コンテンツ情報と共に前記代表画像を表示装置に表示させることが好ましい。このように、表示装置にコンテンツ情報と代表画像とを表示することで、ユーザが記録媒体に記録されているコンテンツの内容を確認し易くなる。
【００２６】
本発明にかかる記録再生装置において、記録媒体の総容量と、当該記録媒体の記録済み容量とに基づいて、記録媒体の残容量を演算する残量演算部をさらに備え、前記表示制御部が、前記コンテンツ情報と共に前記残容量を前記表示装置に表示させることが好ましい。これにより、表示装置にコンテンツ情報と残量を表示することで、ユーザが記録媒体の残容量を確認することができる。
【００２７】
本発明の記録再生装置の遠隔操作装置は、記録再生装置の遠隔操作装置であって、前記第一の記録媒体の前記非接触記憶部に格納された前記媒体情報から、少なくとも前記媒体識別子を読み取る非接触読取部と、前記媒体識別子を前記記録再生装置へ送信する媒体識別子送信部と、前記記録媒体の記録層に記録されたコンテンツ情報を前記媒体識別子に関連付けて記憶したコンテンツ情報記憶部から、前記媒体識別子に基づいて、前記媒体識別子に対応するコンテンツ情報を検索した結果を、前記記録再生装置から受信する検索結果受信部と、表示パネルと、前記検索結果受信部が受信したコンテンツ情報を前記表示パネルに表示させる表示制御部とを備えたことを特徴とする。前記記録再生装置の遠隔操作装置によれば、記録媒体の非接触記憶部に格納された媒体識別子を読み取り、当該媒体識別子を検索部に送信する。当該媒体識別子に基づいてコンテンツ情報記憶部から当該記録媒体のコンテンツ情報を取得して、表示パネルに表示することができる。
【００２８】
本発明の記録再生装置の遠隔操作装置は、記録再生装置の遠隔操作装置であって、前記第二の記録媒体の前記非接触記憶部から、前記媒体情報を読み取る非接触読取部と、表示パネルと、前記非接触読取部による読取結果を前記表示パネルに表示させる表示制御部とを備えたことを特徴とする。前記記録再生装置の遠隔操作装置によれば、記録媒体の非接触記憶部に格納されている媒体情報からコンテンツ情報を取得することにより、記録再生装置内に、コンテンツ情報記憶部を保持せずに、記録媒体のコンテンツ情報を表示することができる。
【００２９】
本発明の携帯情報端末は、記録再生装置と通信可能な携帯情報端末であって、前記第一の記録媒体の前記非接触記憶部に格納された前記媒体情報から、少なくとも前記媒体識別子を読み取る非接触読取部と、前記媒体識別子を前記記録再生装置へ送信する媒体識別子送信部と、前記記録媒体の記録層に記録されたコンテンツ情報を前記媒体識別子に関連付けて記憶したコンテンツ情報記憶部から、前記媒体識別子に基づいて、前記媒体識別子に対応するコンテンツ情報を検索した結果を、前記記録再生装置から受信する検索結果受信部と、表示パネルと、前記検索結果受信部が受信したコンテンツ情報を前記表示パネルに、表示させる表示制御部とを備えたことを特徴とする。前記携帯情報端末によれば、記録媒体の非接触記憶部に格納された媒体識別子を読み取り、当該媒体識別子を検索部に送信する。当該媒体識別子に基づいてコンテンツ情報記憶部から当該記録媒体のコンテンツ情報を取得して、表示パネルに表示することができる。
【００３０】
本発明の携帯情報端末は、記録再生装置と通信可能な携帯情報端末であって、前記第二の記録媒体の前記非接触記憶部から、前記媒体情報を読み取る非接触読取部と、表示パネルと、前記非接触読取部による読取結果を前記表示パネルに表示させる表示制御部とを備えたことを特徴とする。前記携帯情報端末によれば、記録媒体の非接触記憶部に格納されている媒体情報からコンテンツ情報を取得することにより、記録再生装置内に、コンテンツ情報記憶部を保持せずに、記録媒体のコンテンツ情報を表示することができる。
【００３１】
本発明の携帯情報端末は、前記第一の記録媒体の前記非接触記憶部に格納された前記媒体情報から、少なくとも前記媒体識別子を読み取る非接触読取部と、前記記録媒体の記録層に記録されたコンテンツに関するコンテンツ情報を、前記媒体識別子に関連付けて記憶したコンテンツ情報記憶部と、前記非接触読取部が読み取った前記媒体識別子に対応するコンテンツ情報を検索する検索部と、表示パネルと、前記検索部による検索結果を前記表示パネルに、表示させる表示制御部とを備えたことを特徴とする。前記携帯情報端末によれば、記録媒体の非接触記憶部に格納された媒体識別子を読み取り、当該媒体識別子に基づいてコンテンツ情報記憶部から当該記録媒体のコンテンツ情報を取得して、表示装置に表示することができる。
【００３２】
本発明にかかる携帯情報端末において、前記コンテンツ情報記憶部が、脱着可能な補助記憶媒体であることが好ましい。
【００３３】
本発明の記録再生装置は、記録媒体に記録されたコンテンツに関するコンテンツ情報を記憶するコンテンツ情報記憶部と、録画予約されたコンテンツに関する録画予約情報を記憶する録画予約情報記憶部とを備え、前記録画予約されたコンテンツを記録媒体へ記録する記録再生装置であって、前記コンテンツ情報が、当該記録媒体の残容量を表す情報を含み、前記録画予約情報が、前記録画予約されたコンテンツの録画所要時間を表す情報を含み、前記記録再生装置は、前記録画所要時間と、前記記録媒体の残容量を表す情報とに基づいて、前記コンテンツ情報記憶部にコンテンツ情報が記憶されている記録媒体について、前記録画予約されたコンテンツを記録可能か否かを判断する判断部と、前記判断部による判断結果を表示する表示装置とを備えたことを特徴とする。前記記録再生装置によれば、録画予約されたコンテンツを録画するための所要時間を録画予約情報記憶部から取得することができ、記録媒体の空き容量をコンテンツ情報記憶部から取得することができる。これにより、録画所要時間と、記録媒体の空き容量を比較し、比較結果に基づいて、どの記録媒体に録画予約されたコンテンツを録画できるかを表示装置に表示することができる。
【００３４】
本発明の記録再生装置は、記録媒体に記録されたコンテンツに関するコンテンツ情報を記憶するコンテンツ情報記憶部と、録画予約されたコンテンツに関する録画予約情報を記憶する録画予約情報記憶部とを備え、前記録画予約されたコンテンツを記録媒体へ記録する記録再生装置であって、前記コンテンツ情報が、当該記録媒体に記録されたコンテンツのラベル情報を含む記録済コンテンツ情報を含み、前記録画予約情報が、前記録画予約されたコンテンツのラベル情報を含み、前記記録再生装置は、前記録画予約情報に含まれる前記ラベル情報を検索キーとして、前記記録済コンテンツ情報を検索することにより、前記コンテンツ情報記憶部にコンテンツ情報が記憶されている前記記録媒体の中に、前記録画予約されたコンテンツと同じラベル情報を有するコンテンツが記録されている記録媒体があるか否かを判断する判断部と、前記判断部による判断結果を表示する表示装置とを備えたことを特徴とする。前記記録再生装置によれば、録画予約されたコンテンツのラベル情報を録画予約情報記憶部から取得することができ、記録媒体に記録されているコンテンツのラベル情報もコンテンツ情報記憶部から取得できる。これにより、それぞれのラベル情報を比較し、比較結果に基づいて、どの記録媒体に録画予約されたコンテンツと同一のコンテンツが記録されているか表示装置に表示することができる。なお、ラベル情報とは、コンテンツのタイトル名（例えば、「英会話」等）またはコンテンツのカテゴリを表す名称（例えば、「ドラマ」等）等である。
【００３５】
本発明の第一の記録再生装置セットは、記録再生装置と、前記記録再生装置の遠隔操作装置とを含む記録再生装置セットであって、前記遠隔操作装置は、前記第一の記録媒体の前記非接触記憶部に格納された前記媒体情報から、少なくとも前記媒体識別子を読み取る非接触読取部と、前記記録再生装置との間で無線通信を行う通信部とを備え、前記記録再生装置は、前記遠隔操作装置との間で無線通信を行う通信部と、複数の記録媒体について、各記録媒体に記録されたコンテンツに関するコンテンツ情報を記憶するコンテンツ情報記憶部とを備え、前記遠隔操作装置が、記録媒体から前記非接触読取部で読み取った前記媒体識別子を前記通信部により記録再生装置へ送信し、前記記録再生装置が、前記通信部により前記媒体識別子を受信し、当該媒体識別子に基づいて前記コンテンツ情報記憶部を検索した結果を、表示装置へ表示することを特徴とする。
【００３６】
前記記録再生装置セットでは、遠隔操作装置で読み取った記録媒体の媒体識別子を、記録再生装置が受信し、受信した媒体識別子に基づいて、コンテンツ情報記憶部から当該記録媒体のコンテンツ情報を取得し、表示装置へ表示する。これにより、ユーザは、記録再生装置に記録媒体を挿入することなく記録媒体にどのようなコンテンツが記録されているかを、容易に確認することができる。
【００３７】
本発明の第二の記録再生装置セットは、記録再生装置と、前記記録再生装置の遠隔操作装置とを含む記録再生装置セットであって、前記遠隔操作装置は、前記第一の記録媒体の前記非接触記憶部に格納された前記媒体情報から、少なくとも前記媒体識別子を読み取る非接触読取部と、前記記録再生装置との間で無線通信を行う通信部と、表示パネルとを備え、前記記録再生装置は、前記遠隔操作装置との間で無線通信を行う通信部と、複数の記録媒体について、各記録媒体に記録されたコンテンツに関するコンテンツ情報を記憶するコンテンツ情報記憶部と、録画予約されたコンテンツに関する録画予約情報を記憶する録画予約情報記憶部とを備え、前記コンテンツ情報は、各記録媒体の残容量を表す情報を含み、前記録画予約情報は、前記録画予約されたコンテンツの録画所要時間を表す情報を含み、前記遠隔操作装置が、記録媒体から前記非接触読取部で読み取った前記媒体識別子を前記通信部により記録再生装置へ送信し、前記記録再生装置が、前記通信部により前記媒体識別子を受信し、前記録画所要時間と、前記各記録媒体の残容量を表す情報とに基づいて、当該媒体識別子を有する記録媒体が前記録画予約されたコンテンツを記録可能か否かの判断結果を前記通信部により前記遠隔操作装置へ送信し、前記遠隔操作装置において、前記通信部により前記判断結果を受信し、受信した判断結果を前記表示パネルに表示することを特徴とする。
【００３８】
前記記録再生装置セットでは、遠隔操作装置で読み取った記録媒体の媒体識別子を、記録再生装置が受信し、受信した媒体識別子に基づいて、コンテンツ情報記憶部から当該記録媒体の残容量を取得する。記録再生装置は、さらに、前記残容量と録画予約されたコンテンツの録画所要時間とに基づいて、当該記録媒体が録画予約されたコンテンツを記録可能かを判断し、判断した結果を遠隔操作装置に送信する。これにより、ユーザは、記録再生装置に記録媒体を挿入することなく、録画予約されたコンテンツを記録することが可能な記録媒体を探し出すことが可能となる。
【００３９】
以下、本発明のさらに具体的な実施の形態について、図面を用いて説明する。
【００４０】
（実施の形態１）
図１（ａ）は、本実施形態の記録媒体の構成を示す平面図であり、図１（ｂ）は、本実施形態の他の記録媒体の別態様を示す斜視図である。
【００４１】
記録媒体１０は、例えばＤＶＤ−ＲまたはＤＶＤ−ＲＡＭ等のユーザが書き込み可能な光ディスク等である。図１（ａ）に示すように、記録媒体１０は、リードイン（ｌｅａｄ−ｉｎ）領域１２、ユーザ領域１３、リードアウト（ｌｅａｄ−ｏｕｔ）領域１４を備えている。ユーザ領域１３は、ユーザが記録再生装置１００においてコンテンツを記録・再生または消去できる領域である。なお、記録媒体１０は、これらの領域以外に記録管理領域やパワー校正領域等を備えていてもよい。記録媒体１０は、リードイン領域１２より内周のクランパエリア１５に、ＩＣタグ（非接触記憶部）１１が埋め込まれている。
【００４２】
また、図１（ｂ）に示すように記録媒体１０は、例えばＤＶＤ−ＲＡＭ等のメディアを保護するカートリッジ付の記録媒体でもよい。この場合、ＩＣタグ１１は、カートリッジの表面または裏面のうち、いずれか一方の任意の箇所に取り付けられるのが好ましい。なお、記録再生装置の記録再生に影響を及ぼさず、ＩＣタグリーダと情報の送受信が可能であり、かつ、容易に脱落しない態様であれば、ＩＣタグ１１はどのように設けられていてもよい。
【００４３】
ＩＣタグ１１は、ＲＦＩＤ（Ｒａｄｉｏ  Ｆｒｅｑｕｅｎｃｙ  Ｉｄｅｎｔｉｆｉｃａｔｉｏｎ）または無線ＩＣタグとも呼ばれる、微小な無線電子回路である。ＩＣタグは、トランジスタまたはダイオード等の素子を、基板上に装着した電子回路（ＩＣチップ）およびアンテナを備えている。当該ＩＣチップには、情報を格納することができ、本実施形態では、記録媒体１０を一意に識別することのできる媒体識別子として、リードイン領域１２内のメディアＩＤが格納されている。また、アンテナは、電波または電磁波を介在させ、ＩＣタグリーダとの間で情報のやりとりをすることができる。従って、ＩＣタグリーダは、ＩＣタグ１１に接触することなく、ＩＣチップに格納された情報を取得することができる。メディアＩＤは、３２ビット〜６４ビットのコードである。しかし、ＩＣタグ１１のメディアＩＤは、リードイン領域のメディアＩＤと異なっていても構わない。また、メディアＩＤに使用するコードの長さは、この一例に限定されず、記録媒体を一意に識別できるものであればよい。
【００４４】
本実施形態にかかる記録再生装置は、記録媒体１０へコンテンツを記録したり、記録媒体１０のコンテンツをテレビ受像機等の表示装置に表示したりすることができる記録再生装置である。ここで、図２〜図３を用いて、本実施の形態にかかる記録再生装置１００の構成について説明する。図２は、本実施形態の記録再生装置の外観を示す正面図である。図３は、本実施形態の記録再生装置の機能的な構成を示すブロック図である。
【００４５】
図２に示すように、記録再生装置１００は、電源スイッチ１００ａ、第一補助記憶媒体挿入口１００ｂ、第二補助記憶媒体挿入口１００ｃ、記録媒体挿入口１００ｄ、液晶パネル１００ｅ、および赤外線受光部１００ｆを備えている。記録再生装置１００は、さらにＩＣタグリーダ１００ｇを備えている。
【００４６】
電源スイッチ１００ａは、記録再生装置１００を起動状態またはスタンバイ状態にすることができる。第一補助記憶媒体挿入口１００ｂおよび第二補助記憶媒体挿入口１００ｃは、補助記憶媒体等を挿入する挿入口である。記録媒体挿入口１００ｄは、記録媒体１０を挿入する挿入口である。記録媒体挿入口１００ｄは、円形状の記録媒体（図１（ａ）参照）およびカートリッジ付記録媒体（図１（ｂ）参照）のどちらも、挿入することができるように設計される。液晶パネル１００ｅは、記録再生装置１００の状態等を示す情報を表示する表示装置である。赤外線受光部１００ｆは、記録再生装置１００の遠隔操作装置から発せられる赤外線を受光する受光部である。当該遠隔操作装置は、記録再生装置１００を離れた場所から操作することができる。ＩＣタグリーダ１００ｇは、ユーザが記録媒体１０に取り付けられたＩＣタグ１１を近づけ易いように、記録再生装置１００の正面に設置される。
【００４７】
また、図３に示すように、記録再生装置１００は、ＩＣタグ読取部１０１、検索部１０２、コンテンツリスト記憶部１０３、時刻計測部１０４、コンテンツリスト管理部１０５、および制御部１０６を備えている。記録再生装置１００は、さらに、録画コンテンツ情報記憶部１０７、記録再生処理部１０８、画像処理部１０９、および表示制御部１１０を備えている。
【００４８】
ＩＣタグ読取部１０１は、図２を参照しながら説明したＩＣタグリーダ１００ｇを含み、記録媒体１０のＩＣタグ１１からメディアＩＤを読み取る。検索部１０２、コンテンツリスト管理部１０５、制御部１０６、および表示制御部１１０は、ＣＰＵが所定のプログラムを実行することにより実現される。時刻計測部１０４は、時計装置等である。また、コンテンツリスト記憶部１０３および録画コンテンツ情報記憶部１０７は、メモリあるいはハードディスクドライブ等である。
【００４９】
コンテンツリスト管理部１０５は、コンテンツリスト記憶部１０３に対する、コンテンツ情報の追加、更新、削除等の制御を行う。制御部１０６は、挿入された記録媒体１０のコンテンツを記録または再生する制御、ＩＣタグ１１の読み取り制御、読み取ったメディアＩＤによる検索制御等を行う。
【００５０】
コンテンツリスト記憶部１０３は、記録再生装置１００に挿入されたことのある記録媒体１０のコンテンツ情報を記憶している。録画コンテンツ情報記憶部１０７は、ユーザがテレビ放送番組を録画する際に、記録対象となるコンテンツ情報を一時的に記憶している。録画コンテンツ情報記憶部１０７は、記録対象コンテンツに関して、タイトル名、録画日、録画時間を有している。これらの情報は、ユーザによって入力されてもよいし、電子番組表情報（ＥＰＧ：Ｅｌｅｃｔｒｉｃ  Ｐｒｏｇｒａｍ  Ｇｕｉｄｅ）等から、取得してもよい。
【００５１】
記録再生処理部１０８は、レーザ等の光源から発生した光ビームを記録媒体１０へ集光する光ピックアップ、光ピックアップの光源を駆動するレーザ駆動部、光ピックアップから出射した光を記録媒体１０上に集光するためのフォーカス制御部、光ピックアップの記録媒体１０上の位置を制御する位置制御器、記録媒体１０からの反射光を電気変換する変換回路等（いずれも図示せず）を含む。画像処理部１０９は、記録媒体１０からの再生信号等をデコード処理するデコーダ等を含む。
【００５２】
次に、図４を参照しながら、記録再生装置１００のコンテンツリスト記憶部１０３に格納する情報について説明する。図４は、コンテンツリスト記憶部１０３に格納するコンテンツリストの一例を示す説明図である。
【００５３】
図４に示すように、コンテンツリスト記憶部１０３は、前述のとおり、記録再生装置１００に挿入されたことのある記録媒体１０に関して、メディアＩＤ、ディスク名、タイトル名、画像ファイル名、パス情報、録画日、録画時間および最終アクセス日を、各コンテンツ単位で重複することなく記憶している。
【００５４】
メディアＩＤは、記録媒体１０に割り当てられた固有の識別子であり、図４では「Ｍ１」、「Ｍ２」と表記しているが、実際には前述のとおり、３２ビット〜６４ビットで表されたコードである。ディスク名は記録媒体１０につけられた名前であり、タイトル名は各コンテンツのタイトルである。例えば、コンテンツがテレビ放送番組録画によるものである場合、タイトル名は番組名等である。また、ユーザは、記録再生装置１００の編集機能を使用することによって、ディスク名およびタイトル名を、任意の名前に編集することができる。画像ファイル名は、各コンテンツのサムネイル表示用の画像ファイルの名前である。パス情報は、コンテンツリスト記憶部１０３における、当該画像ファイルが格納される場所を示す。録画日はコンテンツを記録した日付であり、録画時間はコンテンツの記録時間である。図４では、録画時間を分単位で表記しているが、分単位で表記する代わりに、時間単位で表記してもよいし、ビット（ｂｉｔ）、バイト（ｂｙｔｅ）等の単位を用いた実際の記録容量で表記してもよい。最終アクセス日は、記録媒体１０へ記録再生装置１００が最後にアクセスした日付である。なお、図４に示した表は、データの内容を概念的に示したものであって、実際のデータフォーマットはこの例に限定されない。
【００５５】
次に、図４〜図８を参照しながら、記録再生装置１００に挿入された記録媒体１０から、メディアＩＤおよびコンテンツ情報を取得し、コンテンツリスト記憶部１０３に蓄積する、二通りの処理に関して説明する。なお、メディアＩＤは、記録媒体１０のリードイン領域１２から取得され、コンテンツ情報は、記録媒体１０のユーザ領域１３から取得される。
【００５６】
記録再生装置１００は、記録媒体１０が挿入される都度、挿入された記録媒体１０に記録されているコンテンツの情報を、コンテンツリスト記憶部１０３のコンテンツリストへ反映させる処理（第一の処理）を行う。
【００５７】
また、記録再生装置１００は、記録媒体１０に対してコンテンツの記録または削除を行った場合は、記録または削除後の記録媒体１０のコンテンツの状況を、コンテンツリスト記憶部１０３のコンテンツリストへ反映させる処理（第二の処理）を行う。
【００５８】
まず、上記、第一の処理の内容について図４〜図６を用いて詳細に説明する。図５は、第一の処理を表すフローチャートである。ここで、記録媒体１０が挿入される前のコンテンツリスト記憶部１０３の内容が、図４のとおりであるものとする。
【００５９】
記録媒体挿入口１００ｄ（図２参照）に記録媒体１０が挿入されたことを検知すると（ステップ５０１）、記録再生処理部１０８は、記録媒体１０のリードイン領域１２を読み取り、リードイン領域１２に記録されているメディアＩＤを検出し、記録媒体１０のユーザ領域１３からコンテンツ情報を検出する（ステップ５０２）。制御部１０６は、記録再生処理部１０８が検出したメディアＩＤおよびコンテンツ情報を、コンテンツリスト管理部１０５へ受け渡す（ステップ５０３）。ここでは、記録媒体１０のメディアＩＤが「Ｍ３」であって、コンテンツ情報が、ディスク名「Ｄ３」、タイトル名「Ｍｕｓｉｃ１」、録画日「2003/10/3」、録画時間「50」であるものとする。
【００６０】
次に、コンテンツリスト管理部１０５は、受け取ったメディアＩＤを検索キーとしてコンテンツリスト記憶部１０３を検索し、当該メディアＩＤがコンテンツリスト記憶部１０３に存在するか否かを判断する（ステップ５０４）。ステップ５０４での判断の結果、メディアＩＤがコンテンツリスト記憶部に存在しない場合（Ｎｏ）、ステップ５０７へ進む。
【００６１】
ステップ５０７では、コンテンツリスト管理部１０５が、コンテンツリスト記憶部１０３に対して、ステップ５０３で受け取ったメディアＩＤおよびコンテンツ情報を書き込み、ステップ５０８へ進む。ここでは、制御部１０６から受け取ったメディアＩＤ「Ｍ３」は、図４に示すとおり、コンテンツリスト記憶部１０３に存在していない。従って、コンテンツリスト管理部１０５は、ステップ５０７において、コンテンツリスト記憶部１０３に、メディアＩＤ「Ｍ３」およびコンテンツ情報（ディスク名「Ｄ３」、タイトル名「Ｍｕｓｉｃ１」、録画日「2003/10/3」および録画時間「50」）を書き込む。
【００６２】
ステップ５０８において、コンテンツリスト管理部１０５は、書き込みを行った日付を時刻計測部１０４から取得し、取得した日付を、コンテンツリスト記憶部１０３の当該記録媒体１０に対応する最終アクセス日付として書き込む。例えば、記録媒体１０を挿入した日付が「2004/02/20」である場合、コンテンツリスト管理部１０５は、コンテンツリスト記憶部１０３のメディアＩＤ「Ｍ３」の最終アクセス日を「2004/02/20」で更新する。その結果、コンテンツリスト記憶部１０３のコンテンツリストは、図６のようになる。
【００６３】
一方、ステップ５０４での判断の結果、メディアＩＤがコンテンツリスト記憶部１０３に存在している場合（Ｙｅｓ）、コンテンツリスト管理部１０５は、ステップ５０３で受け取ったコンテンツ情報が、当該メディアＩＤに関連付けられて、コンテンツリスト記憶部１０３に記憶されているコンテンツ情報と等しいか否かの判断を行う（ステップ５０５）。ステップ５０５での判断の結果がＹｅｓであれば、ステップ５０８へ進む。
【００６４】
一方、ステップ５０５での判断の結果がＮｏである場合、ステップ５０６へ進む。ステップ５０６では、コンテンツリスト管理部１０５が、コンテンツリスト記憶部１０３に、ステップ５０３で受け取ったコンテンツ情報を反映し、ステップ５０８へ進む。
【００６５】
なお、コンテンツ名が付けられていない番組等を記録媒体１０へ記録した場合、コンテンツリスト管理部１０５が、コンテンツ名および画像ファイル名として書き込み時の日付等を利用して名前を付けてもよい。
【００６６】
また、コンテンツリスト管理部１０５は、コンテンツ情報を書き込む際、各コンテンツの開始直後の画像を、サムネイル表示用として、コンテンツリスト記憶部１０３に格納する。このとき、付けられる名前および画像の格納先が、画像ファイル名およびパス情報としてコンテンツリスト記憶部１０３に記憶される。ユーザは、コンテンツ再生中に、所望の画像を選択する等の処理を行うことにより、サムネイル表示用に使用する画像を変更することができる。この場合も、コンテンツリスト管理部１０５が、画像ファイル名として選択時の日付等を利用して名前を付ける（図６参照）。
【００６７】
次に、上記第二の処理の内容について図４、図７〜図８を用いて詳細に説明する。図７は第二の処理を表すフローチャートである。
【００６８】
ここで、記録媒体１０が、記録媒体挿入口１００ｄ（図２参照）に挿入され、記録再生装置１００が、当該記録媒体１０に新たにコンテンツを記録したとする。また、新たに記録されたコンテンツに関する情報は、タイトル名「仏会話２」、録画日「2004/2/24」、録画時間「20」であるものとする。
【００６９】
記録媒体１０へ、上記コンテンツを記録し終えた後、コンテンツリスト管理部１０５は、録画コンテンツ情報記憶部１０７から、当該コンテンツに関する情報を取得する（ステップ７０１）。
【００７０】
そして、コンテンツリスト管理部１０５は、コンテンツリスト記憶部１０３に対して、記録媒体１０のメディアＩＤに関連付けて、取得した録画コンテンツ情報を書き込む（ステップ７０２）。コンテンツリスト管理部１０５は、コンテンツリスト記憶部１０３に、コンテンツ情報（タイトル名「仏会話２」、録画日「2004/02/24」および録画時間「20」）を書き込む。
【００７１】
さらに、書き込みを行った日付を、時刻計測部１０４から取得し、取得した日付を、コンテンツリスト記憶部１０３の当該記録媒体１０に対応する最終アクセス日付として書き込む（ステップ７０３）。この場合、コンテンツリスト管理部１０５は、コンテンツリスト記憶部１０３のメディアＩＤ「Ｍ２」の最終アクセス日を、「2004/02/24」で更新する。その結果、コンテンツリスト記憶部１０３のコンテンツリストは、図８のようになる。
【００７２】
なお、コンテンツ名および画像ファイル名の付与と、サムネイル表示用画像選択及び格納とは、第一の処理と同様にユーザが意識することなく行われる。サムネイルとして使用する画像も、第一の処理と同様にユーザが任意に変更することができる。
【００７３】
以上の第一および第二の処理を行うことによって、コンテンツリスト記憶部１０３に記録媒体１０のコンテンツ情報を蓄積することができる。
【００７４】
次に、上述のように蓄積されたコンテンツリストを用いて、記録再生装置１００が、記録媒体１０からメディアＩＤを読み取り、記録媒体１０に記録されているコンテンツの情報を表示する処理について説明する。
【００７５】
図９は、記録再生装置１００の処理内容を示すフローチャートである。
【００７６】
ユーザが、記録内容を知りたい記録媒体１０を記録再生装置１００の前面の操作パネルに近づけ、記録再生装置１００のＩＣタグリーダ１００ｇ（図２参照）が、記録媒体１０のＩＣタグ１１を検知する（ステップ９０１）と、ＩＣタグリーダ１００ｇが、読み取り可能な範囲内に近づけられた記録媒体１０のＩＣタグ１１のメディアＩＤを読み取る。これにより、ＩＣタグ読取部１０１は、ＩＣタグ１１に格納されたメディアＩＤを取得する（ステップ９０２）。制御部１０６は、ＩＣタグ読取部１０１が取得したメディアＩＤを、検索部１０２へ受け渡す（ステップ９０３）。ここでは、ＩＣタグ１１がメディアＩＤ「Ｍ２」を格納しており、コンテンツリスト記憶部１０３の内容が図４のとおりであるものとする。
【００７７】
次に、検索部１０２は、受け取ったメディアＩＤを検索キーとして、コンテンツリスト記憶部１０３を検索する（ステップ９０４）。コンテンツリスト記憶部１０３の内容が図４に示す内容であるので、メディアＩＤ「Ｍ２」で検索すると、ｒ３〜ｒ７を検索結果として得ることができる。制御部１０６は、表示制御部１１０へステップ９０４の検索結果を受け渡し（ステップ９０５）、表示制御部１１０が、受け取った検索結果を表示装置２０に表示させる（ステップ９０６）。ステップ９０４の検索結果ｒ３〜ｒ７のうち、ｒ３〜ｒ５のみを表示させた結果が図１０である。
【００７８】
図１０に示すように、表示制御部１１０は、表示装置２０にディスク名、残量、タイトル名、録画日およびサムネイル画像等を表示する。サムネイル画像には、記録媒体１０の一番目のコンテンツの画像を使用している。例えば、図４のｒ３が記録媒体１０の一番目のコンテンツである場合、表示制御部１１０は、パス情報「thumbnail/images/」の示す場所に格納された画像ファイル名「English1.jpg」をサムネイル画像として、表示装置２０に表示する。しかし、表示するサムネイル画像は一番目のコンテンツの画像に限られず、他の検索結果の画像ファイルをサムネイル画像として、表示してもよい。
【００７９】
なお、表示装置２０に表示される残量は、記録媒体１０の空き容量である。残量は、記録媒体の総容量および記録媒体１０のリードインに含まれる使用済み容量に基づき、あらかじめ設定された記録モードによって定められたビットレートから計算する。
【００８０】
また、残量は、記録媒体１０の総容量およびステップ９０４の検索結果に基づき計算してもよい。あるいは、残量は、コンテンツリスト記憶部１０３にコンテンツ情報を記憶する（第一、第二の処理）都度、記録媒体１０の残量を演算し直し、記録媒体１０のメディアＩＤと関連付けて記憶しておいてもよい。
【００８１】
表示制御部１１０は、図１１に示すように、サムネイル画像を小さくし、より多くのコンテンツ情報を、表示装置２０に表示してもよい。この場合、ステップ９０４の検索結果ｒ３〜ｒ７のうちｒ３〜ｒ６について、ディスク名、残量、タイトル名、録画日およびサムネイル画像等と、前画面／次画面ボタン（２１、２２）が表示画面に表示されている。次画面ボタン２２が押された場合、表示制御部１１０は、表示装置２０にｒ６以降の検索結果を表示する。
【００８２】
さらに、図１２に示すように、表示制御部１１０は、表示装置２０にコンテンツリスト記憶部１０３に記憶されているすべてのコンテンツ情報を一覧で順に表示してもよい。
【００８３】
以上のように、本実施形態によれば、ユーザが、記録内容を知りたい記録媒体１０を記録再生装置１００に近づけるだけで、記録再生装置１００が、記録媒体１０に記録されているコンテンツのリストを表示装置２０に一覧表示する。これにより、記録再生装置１００に記録媒体１０を挿入することなく、簡単に記録媒体１０の記録内容や残容量を確認できる。
【００８４】
図１０〜図１２の表示態様は一例に過ぎない。表示装置２０における表示態様は、記録媒体１０のコンテンツ情報が表示されていればどのような態様でもよく、１画面内に記録媒体１０の全てのコンテンツ情報を表示させてもよいし、１画面あたりの表示コンテンツ数を３つ程度に絞り込んで表示させるものでもよい。
【００８５】
なお、表示装置２０ではなく、記録再生装置１００の前面部に設けられた液晶パネル１００ｅ（図２参照）にコンテンツ情報を表示してもよい。これにより、表示装置２０が電源オフ状態またはスタンバイ状態であっても、記録再生装置１００は、記録媒体１０のコンテンツ情報を表示することができる。
【００８６】
（実施の形態２）
以下、本発明の第二の実施形態について、図面を用いて説明する。
【００８７】
本実施形態にかかる記録再生装置は、記録媒体１０へコンテンツを記録したり、記録媒体１０のコンテンツをテレビ受像機等の表示装置に表示したりすることができる記録再生装置である。ここで、図１３および図１４を用いて、本実施の形態にかかる記録再生装置２００の機能的な構成について説明する。なお、本実施形態において、実施の形態１の記録再生装置１００と同様の機能を実現する構成に関しては、図１３および図１４において実施の形態１と同一の番号を付番し、説明を省略する。また、記録再生装置２００の外観は、図２と同様である。
【００８８】
図１３に示すように、記録再生装置２００は、ＩＣタグ読取部１０１、検索部１０２、時刻計測部１０４、コンテンツリスト管理部１０５、制御部１０６、およびＬＡＮ接続部１１１を備えている。記録再生装置２００は、さらに、録画コンテンツ情報記憶部１０７、記録再生処理部１０８、画像処理部１０９、および表示制御部１１０を備えている。すなわち、記録再生装置２００は、コンテンツリスト記憶部１０３の代わりに、ＬＡＮ接続部１１１を有する点において、記録再生装置１００と異なっている。ＬＡＮ接続部１１１は、構内回線網（ＬＡＮ）４０に接続された、ＮＩＣ（Ｎｅｔｗｏｒｋ  Ｉｎｔｅｒｆａｃｅ  Ｃａｒｄ）またはＵＳＢ（Ｕｎｉｖｅｒｓａｌ  Ｓｅｒｉａｌ  Ｂｕｓ）等を含むインターフェース等である。これにより、記録再生装置２００は、ＬＡＮ４０を介して、サーバ４１のコンテンツリスト記憶部４１ａに接続される。
【００８９】
なお、ＬＡＮ接続部１１１の例として、上述のインターフェースを示したが、本発明にかかるＬＡＮ接続部１１１はこの一例に限定されない。すなわち、記録再生装置２００が、ＬＡＮ４０に接続することができればよく、例えば、無線アクセスポイントを介して接続される無線ＬＡＮ接続等であってもよい。
【００９０】
また、図１４に示すように、記録再生装置２００は、ＬＡＮ接続部１１１の代わりに、インターネット接続部１１２を備えていてもよい。インターネット接続部１１２は、インターネット５０に接続された、ＮＩＣまたはモデム（変復調装置）等を含むインターフェース等である。これにより、記録再生装置１００は、インターネット５０を介して、サーバ５１のコンテンツリスト記憶部５１ａに接続される。
【００９１】
なお、インターネット接続部１１２の例として、上述のインターフェースを示したが、本発明にかかるインターネット接続部１１２はこの一例に限定されない。すなわち、記録再生装置２００が、インターネット５０に接続することができればよく、例えば、ＬＡＮ回線を経由してインターネットに接続してもよく、無線アクセスポイントを介して接続される無線ＬＡＮ接続等であってもよい。
【００９２】
次に、ＬＡＮ４０上のサーバ４１におけるコンテンツリスト記憶部４１ａまたはインターネット５０上のサーバ５１におけるコンテンツリスト記憶部５１ａに、格納する情報について説明する。コンテンツリスト記憶部４１ａまたは５１ａは、実施の形態１のコンテンツリスト記憶部１０３と同様のデータ（例えば図４参照）を記憶している。
【００９３】
すなわち、コンテンツリスト記憶部４１ａまたは５１ａは、記録再生装置２００に挿入されたことのある記録媒体１０に関して、メディアＩＤ、ディスク名、タイトル名、画像ファイル名、パス情報、録画日、録画時間、および最終アクセス日を、各コンテンツ単位で重複することなく記憶している。
【００９４】
次に、ＬＡＮ接続部１１１を備えた記録再生装置２００が、記録媒体１０からメディアＩＤを読み取り、記録媒体１０に記録されているコンテンツの情報を表示する処理について説明する。
【００９５】
図１５は、記録再生装置２００の処理内容を示すフローチャートである。
【００９６】
ユーザが、記録内容を知りたい記録媒体１０を記録再生装置２００の前面の操作パネルに近づけると、記録再生装置２００のＩＣタグリーダ１００ｇ（図２参照）が、記録媒体１０のＩＣタグ１１を検知し（ステップ１５０１）、ＩＣタグ読取部１０１が、記録媒体１０のＩＣタグ１１のメディアＩＤを取得する（ステップ１５０２）。メディアＩＤは、制御部１０６によって、検索部１０２へ受け渡される（ステップ１５０３）。
【００９７】
次に、検索部１０２は、ＬＡＮ接続部１１１を介して、サーバ４１へアクセスし、当該メディアＩＤを検索キーとして、サーバ４１のコンテンツリスト記憶部４１ａを検索する（ステップ１５０４）。制御部１０６は、ＬＡＮ４０を介して、ステップ１５０４の検索結果を取得する（ステップ１５０５）。
【００９８】
そして、制御部１０６は、表示制御部１１０へステップ１５０５の検索結果を受け渡す（ステップ１５０６）。表示制御部１１０は、受け取った検索結果を表示装置２０に表示させる（ステップ１５０７）。
【００９９】
なお、記録再生装置２００が、記録媒体１０に記録されているコンテンツの情報を表示する際の表示態様は、実施の形態１と同様である。
【０１００】
また、記録再生装置２００が、図１４に示したようにインターネット接続部１１２を備える場合の処理内容および表示態様も、インターネット５０を経由して、サーバ５１のコンテンツ記憶部５１ａへアクセスする点が異なるだけで、記録再生装置２００がＬＡＮ接続部１１１を備える場合と同様である。
【０１０１】
以上のように、本実施形態によれば、記録再生装置内にコンテンツリストを記憶するためのメモリは不要である。また、記録媒体１０に割り当てられたメディアＩＤが固有であるため、ＬＡＮ４０上のサーバ４１におけるコンテンツリスト記憶部４１ａまたはインターネット５０上のサーバ５１におけるコンテンツリスト記憶部５１ａを、複数の記録再生装置２００で共有する場合においても、当該記録媒体１０の記録内容を導き出すことができる。
【０１０２】
（実施の形態３）
以下、本発明の第三の実施形態について、図面を用いて説明する。
【０１０３】
本実施形態にかかる記録再生装置は、記録媒体１０へコンテンツを記録したり、記録媒体１０のコンテンツをテレビ受像機等の表示装置に表示したりすることができる記録再生装置である。ここで、図１６を用いて、本実施の形態にかかる記録再生装置３００の機能的な構成について説明する。なお、本実施形態において、実施の形態１と同様の機能を実現する構成に関しては、図１６において実施の形態１と同一番号を付番し、説明を省略する。また、記録再生装置３００の外観は、図２と同様である。
【０１０４】
記録再生装置３００は、例えば同一家庭内において家庭内ＬＡＮを介して、複数台を相互接続して用いられる。例えば、１台をリビングルームに設置し、子供部屋や寝室に他の記録再生装置を設置することが考えられる。本実施形態では、記録再生装置３００を２台相互接続するものとし、図１６において、そのうちの１台を３００ａ、もう１台を３００ｂとして表す。
【０１０５】
図１６に示すように、記録再生装置３００ａおよび３００ｂは、ＩＣタグ読取部１０１、検索部１０２、時刻計測部１０４、コンテンツリスト記憶部１０３、コンテンツリスト管理部１０５、制御部１０６、およびＬＡＮ接続部１１１を備えている。記録再生装置３００ａおよび３００ｂは、さらに、録画コンテンツ情報記憶部１０７、記録再生処理部１０８、画像処理部１０９、および表示制御部１１０を備えている。
【０１０６】
ＬＡＮ接続部１１１は、ＬＡＮ４０に接続された、ＮＩＣまたはＵＳＢ等を含むインターフェース等である。これにより、記録再生装置３００ａと３００ｂとは、ＬＡＮ４０を介して、相互に接続される。
【０１０７】
次に、記録再生装置３００ａが、記録媒体１０からメディアＩＤを読み取り、記録媒体１０に記録されているコンテンツの情報を表示する処理について説明する。
【０１０８】
図１７は、記録再生装置３００ａの処理内容を示すフローチャートである。
【０１０９】
ユーザが、記録内容を知りたい記録媒体１０を記録再生装置３００ａの前面の操作パネルに近づけると、記録再生装置３００ａのＩＣタグリーダ１００ｇ（図２参照）が、記録媒体１０のＩＣタグ１１を検知し（ステップ１７０１）、ＩＣタグ読取部１０１が、記録媒体１０のＩＣタグ１１のメディアＩＤを取得する（ステップ１７０２）。メディアＩＤは、制御部１０６によって、検索部１０２へ受け渡される（ステップ１７０３）。
【０１１０】
次に、検索部１０２は、当該メディアＩＤを検索キーとして、コンテンツリスト記憶部１０３を検索する（ステップ１７０４）。制御部１０６は、メディアＩＤがコンテンツリスト記憶部１０３に存在するか否かを判断する（ステップ１７０５）。ステップ１７０５の結果、メディアＩＤがコンテンツリスト記憶部１０３に存在する場合（Ｙｅｓ）、制御部１０６は、検索結果を取得し（ステップ１７０６）、表示制御部１１０へ検索結果を受け渡す（ステップ１７０９）。そして、表示制御部１１０は、受け取った検索結果を表示装置２０に表示する（ステップ１７１０）。
【０１１１】
一方、ステップ１７０５での判断の結果、メディアＩＤが、コンテンツリスト記憶部１０３に存在していない場合（Ｎｏ）、ステップ１７０７へ進む。ステップ１７０７では、検索部１０２は、ＬＡＮ接続部１１１を介して、記録再生装置３００ｂへアクセスし、ステップ１７０４で検索キーとして用いたメディアＩＤを検索キーとして、記録再生装置３００ｂのコンテンツリスト記憶部１０３を検索し、ステップ１７０８へ進む。
【０１１２】
そして、ステップ１７０８では、制御部１０６は、ＬＡＮ４０を介して、ステップ１７０７の検索結果を取得し、ステップ１７０９へ進む。
【０１１３】
なお、本実施形態における記録再生装置が、記録媒体１０に記録されているコンテンツの情報を表示する際の表示態様は、実施の形態１と同様である。
【０１１４】
以上のように、本実施形態によれば、記録媒体を近づけた記録再生装置に、当該記録媒体の記録内容が記憶されていない場合、家庭内ＬＡＮ等に接続された複数の記録再生装置に対して、検索することができる。
【０１１５】
（実施の形態４）
以下、本発明の第四の実施形態について、図面を用いて説明する。
【０１１６】
本実施形態にかかる記録再生装置は、記録媒体１０へコンテンツを記録したり、記録媒体１０のコンテンツをテレビ受像機等の表示装置に表示したりすることができる記録再生装置である。また、本実施形態にかかる遠隔操作装置は、当該記録再生装置に対して離れた距離から操作信号を送る、いわゆるリモコンである。
【０１１７】
ここで、図１８および図１９を用いて、本実施形態にかかる記録再生装置４００および当該記録再生装置４００の遠隔操作装置４５０の構成について説明する。なお、本実施形態において、実施の形態１の記録再生装置１００と同様の機能を実現する構成に関しては、実施の形態１と同一の番号を付番し、詳しい説明を省略する。
【０１１８】
図１８は、遠隔操作装置４５０の外観を示す斜視図である。図１９は、記録再生装置４００および遠隔操作装置４５０の機能的な構成を示すブロック図である。また、記録再生装置４００の外観は、図２と同様である。
【０１１９】
図１８に示すように、遠隔操作装置４５０は、電源スイッチ４５０ａ、操作ボタン４５０ｂ、および液晶パネル４５０ｃを備えている。遠隔操作装置４５０は、さらに、赤外線発光部４５０ｄ、赤外線受光部４５０ｅ、およびＩＣタグリーダ４５０ｆを備えている。
【０１２０】
電源スイッチ４５０ａは、記録再生装置４００を起動状態またはスタンバイ状態にすることができる。操作ボタン４５０ｂは、文字または数字を入力するための複数個のボタン群である。液晶パネル４５０ｃは、遠隔操作装置４５０の状態等を示す情報を表示する表示装置である。赤外線発光部４５０ｄは、記録再生装置４００に向けて赤外線を発する発光素子を備えている。赤外線受光部４５０ｅは、記録再生装置４００から発せられる赤外線を受光する受光素子を備えている。
【０１２１】
ＩＣタグリーダ４５０ｆは、本実施形態では遠隔操作装置４５０の上面に設けられている。しかし、本発明におけるＩＣタグリーダ４５０ｆの設置箇所は、この一例に限定されず、ユーザが、ＩＣタグリーダ４５０ｆを記録媒体１０のＩＣタグ１１に近づけ易いように設けられればよい。
【０１２２】
また、図１９に示すように、記録再生装置４００は、検索部１０２、コンテンツリスト記憶部１０３、時刻計測部１０４、コンテンツリスト管理部１０５、制御部１０６、媒体情報受信部１１３、および検索結果送信部１１４を備えている。記録再生装置４００は、さらに、録画コンテンツ情報記憶部１０７、記録再生処理部１０８、画像処理部１０９、および表示制御部１１０を備えている。すなわち、記録再生装置４００は、ＩＣタグ読取部１０１を有しておらず、媒体情報受信部１１３および検索結果送信部１１４を有する点において、実施形態１の記録再生装置１００と異なる。
【０１２３】
遠隔操作装置４５０は、ＩＣタグ読取部４５１、媒体情報送信部４５２、検索結果受信部４５３、制御部４５４、および表示部４５５を備えている。
【０１２４】
ＩＣタグ読取部４５１は、実施形態１のＩＣタグ読取部１０１と同様に、ＩＣタグリーダ４５０ｆがＩＣタグ１１から読み取った、メディアＩＤを取得する。制御部４５４は、ＣＰＵが所定のプログラムを実行することにより実現される。表示部４５５は、液晶パネル４５０ｃ（図１８参照）に対する表示制御を行う。
【０１２５】
媒体情報送信部４５２は、赤外線発光部４５０ｄ（図１８参照）を含み、赤外線を用いて、記録再生装置４００に対し、記録媒体１０のＩＣタグ１１から読み取ったメディアＩＤを送出する。一方、媒体情報受信部１１３は、赤外線受光部１００ｆ（図２参照）を含み、媒体情報送信部４５２から送信されるメディアＩＤを受け取る。
【０１２６】
検索結果送信部１１４は、赤外線発光部（図示せず）を含み、赤外線を用いて、遠隔操作装置４５０に対し、検索部１０２による検索結果を送出する。一方、検索結果受信部４５３は、赤外線受光部４５０ｅ（図１８参照）を含み、検索結果送信部１１４から送信される検索結果を受け取る。
【０１２７】
次に、遠隔操作装置４５０が、記録媒体１０からメディアＩＤを読み取り、記録媒体１０に記録されているコンテンツの情報を表示する処理について説明する。
【０１２８】
図２０は、記録再生装置４００および遠隔操作装置４５０の処理内容を示すフローチャートである。
【０１２９】
ユーザが、記録内容を知りたい記録媒体１０に、遠隔操作装置４５０のＩＣタグリーダ４５０ｆ（図１８参照）を近づける。遠隔操作装置４５０のＩＣタグリーダ４５０ｆが、記録媒体１０のＩＣタグ１１を検知する（ステップ２００１）と、ＩＣタグリーダ４５０ｆは、読み取り可能な範囲内に近づけられた記録媒体１０のＩＣタグ１１のメディアＩＤを読み取る。これにより、ＩＣタグ読取部４５１は、ＩＣタグ１１に格納されたメディアＩＤを取得する（ステップ２００２）。制御部４５４は、媒体情報送信部４５２を用いて、取得したメディアＩＤを記録再生装置４００に送信する（ステップ２００３）。
【０１３０】
次に、媒体情報受信部１１３が、メディアＩＤを受信する（ステップ２００４）。制御部１０６は、受信したメディアＩＤを検索部１０２へ受け渡す（ステップ２００５）。ここでは、ＩＣタグ１１がメディアＩＤ「Ｍ１」を格納しており、コンテンツリスト記憶部１０３の内容が図４のとおりであるものとする。
【０１３１】
検索部１０２は、受け取ったメディアＩＤを検索キーとして、コンテンツリスト記憶部１０３を検索する（ステップ２００６）。コンテンツリスト記憶部１０３の内容が図４に示す内容であるので、メディアＩＤ「Ｍ１」で検索すると、ｒ１〜ｒ２を検索結果として得ることができる。
【０１３２】
次に、制御部１０６は、検索結果送信部１１４へステップ２００６の検索結果を受け渡し（ステップ２００７）、検索結果送信部１１４は、受け取った検索結果を遠隔操作装置４５０に送信する（ステップ２００８）。
【０１３３】
そして、検索結果受信部４５３が、検索結果を受信する（ステップ２００９）。制御部４５４は、受信した検索結果を表示部４５５へ受け渡し（ステップ２０１０）、表示部４５５は、受け取った検索結果を液晶パネル４５０ｃ（図１８参照）に表示させる（ステップ２０１１）。ステップ２００６の検索結果ｒ１〜ｒ２のうち、ｒ１のみを抽出し、ディスク名およびタイトル名を表示させた態様の一例が図２１（ａ）である。なお、図２１（ａ）で表示する記録媒体１０の残量を求める方法は、実施の形態１と同様である。また、図２１（ｂ）に示すように、記録媒体１０の残量の代わりに、より多くのコンテンツ情報を表示してもよい。
【０１３４】
以上のように、本実施形態によれば、ユーザが、記録内容を知りたい記録媒体１０に遠隔操作装置４５０を近づけるだけで、遠隔操作装置４５０が、記録媒体１０のメディアＩＤをＩＣタグ１１から読み取り、記録再生装置４００へ送信する。そして記録再生装置４００において、検索部１０２が、メディアＩＤを検索キーとして、コンテンツリスト記憶部１０３を検索することにより、記録媒体１０に記録されているコンテンツの情報を取得し、遠隔操作装置４５０へ送信する。遠隔操作装置４５０は、これを受信し、液晶パネル４５０ｃに表示する。これにより、記録再生装置４００に記録媒体１０を挿入することなく、記録再生装置４００から離れた場所から、簡単に記録媒体１０の記録内容や残容量を確認できる。
【０１３５】
また、図２１（ａ）または（ｂ）の表示態様は一例に過ぎない。液晶パネル４５０ｃにおける表示態様は、記録媒体１０のコンテンツ情報が表示されていればどのような態様でもよい。
【０１３６】
なお、記録媒体１０のコンテンツ情報は、液晶パネル４５０ｃに表示すると同時に、または液晶パネル４５０ｃに表示する代わりに、記録再生装置４００に接続された表示装置２０にも、表示することが好ましい。これにより、遠隔操作装置４５０の液晶パネル４５０ｃに表示する場合と比較して、より多くの情報を表示することができる。表示装置２０の表示態様は、実施の形態１と同様である。
【０１３７】
（実施の形態５）
以下、本発明の第五の実施形態について、図面を用いて説明する。
【０１３８】
本実施形態にかかる記録再生装置は、記録媒体１０へコンテンツを記録したり、記録媒体１０のコンテンツをテレビ受像機等の表示装置に表示したりすることができる記録再生装置である。また、本実施形態にかかる遠隔操作装置は、実施の液体４で説明した遠隔操作装置４５０と同様である。
【０１３９】
ここで、図２２および図２３を用いて、本実施形態にかかる記録再生装置５００および遠隔操作装置４５０の構成について説明する。なお、記録再生装置５００において、実施形態２または４で説明した構成と同様の機能を実現する構成に関しては、図２２および図２３において、実施の形態２または４で説明した構成と同一番号を付番し、説明を省略する。また、記録再生装置５００の外観は、図２と同様であり、また、遠隔操作装置４５０の外観は、図１８と同様である。
【０１４０】
図２２に示すように、記録再生装置５００は、検索部１０２、時刻計測部１０４、コンテンツリスト管理部１０５、制御部１０６、媒体情報受信部１１３、および検索結果送信部１１４を備えている。記録再生装置５００は、さらに、録画コンテンツ情報記憶部１０７、記録再生処理部１０８、画像処理部１０９、および表示制御部１１０を備えている。すなわち、記録再生装置５００は、ＩＣタグ読取部１０１の代わりに、媒体情報受信部１１３および検索結果送信部１１４を有しており、コンテンツリスト記憶部１０３の代わりに、ＬＡＮ接続部１１１を有する点において、記録再生装置１００と異なっている。ＬＡＮ接続部１１１は、実施の形態２において説明したものと同様である。
【０１４１】
また、図２３に示すように、記録再生装置５００は、ＬＡＮ接続部１１１の代わりに、インターネット接続部１１２を備えていてもよい。インターネット接続部１１２は、実施の形態２において説明したものと同様である。
【０１４２】
次に、ＬＡＮ接続部１１１を備えた記録再生装置５００が、記録媒体１０からメディアＩＤを読み取り、記録媒体１０に記録されているコンテンツの情報を表示する処理について説明する。
【０１４３】
図２４は、記録再生装置５００の処理内容を示すフローチャートである。
【０１４４】
ユーザが、記録内容を知りたい記録媒体１０に、遠隔操作装置４５０のＩＣタグリーダ４５０ｆ（図１８参照）を近づけることにより、遠隔操作装置４５０のＩＣタグリーダ４５０ｆが、記録媒体１０のＩＣタグ１１を検知する（ステップ２４０１）と、ＩＣタグリーダ４５０ｆが、読み取り可能な範囲内に近づけられた記録媒体１０のＩＣタグ１１のメディアＩＤを読み取る。これにより、ＩＣタグ読取部４５１は、ＩＣタグ１１に格納されたメディアＩＤを取得する（ステップ２４０２）。制御部４５４は、媒体情報送信部４５２を用いて、取得したメディアＩＤを記録再生装置４００に送信する（ステップ２４０３）。
【０１４５】
次に、媒体情報受信部１１３が、メディアＩＤを受信する（ステップ２４０４）。制御部１０６は、受信したメディアＩＤを検索部１０２へ受け渡す（ステップ２４０５）。
【０１４６】
検索部１０２は、ＬＡＮ接続部１１１を介して、サーバ４１へアクセスし、当該メディアＩＤを検索キーとして、サーバ４１のコンテンツリスト記憶部４１ａを検索する（ステップ２４０６）。
【０１４７】
制御部１０６は、ＬＡＮ４０を介して、ステップ２４０６の検索結果を取得し（ステップ２４０７）、検索結果送信部１１４へステップ２４０６の検索結果を受け渡す（ステップ２４０８）。検索結果送信部１１４は、受け取った検索結果を遠隔操作装置４５０に送信する（ステップ２４０９）。
【０１４８】
そして、検索結果受信部４５３が、検索結果を受信する（ステップ２４１０）。制御部４５４は、受信した検索結果を表示部４５５へ受け渡し（ステップ２４１１）、表示部４５５は、受け取った検索結果を液晶パネル４５０ｃ（図１８参照）に表示させる（ステップ２４１２）。
【０１４９】
なお、本実施形態における遠隔操作装置４５０が、記録媒体１０に記録されているコンテンツの情報を表示する際の表示態様は、実施の形態４と同様である。
【０１５０】
また、記録再生装置５００が、図２３に示したようにインターネット接続部１１２を備える場合の処理内容および表示態様も、インターネット５０を経由して、サーバ５１のコンテンツ記憶部５１ａへアクセスする点が異なるだけで、記録再生装置５００がＬＡＮ接続部１１１を備える場合と同様である。
【０１５１】
以上のように、本実施形態によれば、記録再生装置内にコンテンツリストを記憶するためのメモリは不要である。また、記録媒体１０に割り当てられたメディアＩＤが固有であるため、ＬＡＮ４０上のサーバ４１におけるコンテンツリスト記憶部４１ａまたはインターネット５０上のサーバ５１におけるコンテンツリスト記憶部５１ａを、複数の記録再生装置５００で共有する場合においても、当該記録媒体１０の記録内容を検索することができる。
【０１５２】
また、本実施形態にかかる記録再生装置５００は、実施の形態３の記録再生装置３００ａ、３００ｂと同様に、ＬＡＮ接続部１１１によって、ＬＡＮ４０上に複数台接続して用いてもよい。この場合、遠隔操作装置４５０から受信したメディアＩＤを検索キーとして使用する際、検索部１０２は、ＬＡＮ４０上の複数の記録再生装置５００のコンテンツリスト記憶部１０３を検索対象とすることができる。これにより、遠隔操作装置４５０からメディアＩＤを送信した記録再生装置５００のコンテンツリスト記憶部１０３に、当該記録媒体１０の記録内容が記憶されていない場合、ＬＡＮ４０等に接続された複数の記録再生装置５００のコンテンツリスト記憶部１０３に対して、コンテンツ情報を検索することができる。
【０１５３】
（実施の形態６）
以下、本発明の第六の実施形態について、図面を用いて説明する。
【０１５４】
本実施形態にかかる記録再生装置は、記録媒体１０へコンテンツを記録したり、記録媒体１０のコンテンツをテレビ受像機等の表示装置に表示したりすることができる記録再生装置である。また、本実施形態にかかる携帯情報端末は、いわゆる携帯電話であるが、当該記録再生装置に対して離れた距離から操作信号を送る機能も有する。しかし、本実施形態にかかる携帯情報端末は、携帯電話に限らず、ＰＤＡ（Ｐｅｒｓｏｎａｌ  Ｄｉｇｉｔａｌ  Ａｓｓｉｓｔａｎｃｅ）等の小型情報端末またはパーソナルコンピュータ等であってもよい。
【０１５５】
ここで、図２５および図２６を用いて、本実施形態にかかる記録再生装置６００および携帯情報端末６５０の構成について説明する。なお、本実施形態において、実施形態１の記録再生装置１００と同様の機能を実現する構成に関しては、図２６において、実施の形態１と同一番号を付番し、説明を省略する。また、記録再生装置６００の外観は、図２と同様である。
【０１５６】
ここでは、本実施形態にかかる携帯情報端末を二つ折りにできる形状のものとして説明するが、携帯情報端末の形状は、この一例に限定されない。図２５（ａ）は、携帯情報端末６５０の操作面を示す斜視図である。図２５（ｂ）は、携帯情報端末６５０を折りたたんだ状態の正面を示す正面図である。図２５（ｃ）は、携帯情報端末６５０を折りたたんだ状態の裏面を示す正面図である。図２６は、記録再生装置６００および携帯情報端末６５０の機能的な構成を示すブロック図である。
【０１５７】
図２５（ａ）に示すように、携帯情報端末６５０は、電源スイッチ６５０ａ、操作ボタン６５０ｂ、メイン液晶パネル６５０ｃ、および補助記憶媒体挿入口６５０ｈを備えている。図２５（ｂ）に示すように、携帯情報端末６５０は、さらに、赤外線発光部６５０ｄ、赤外線受光部６５０ｅ、およびサブ液晶パネル６５０ｇを備えている。図２５（ｃ）に示すように、携帯情報端末６５０は、さらに、ＩＣタグリーダ６５０ｆを備えている。
【０１５８】
電源スイッチ６５０ａは、携帯情報端末６５０を起動状態またはスタンバイ状態にすることができる。操作ボタン６５０ｂは、文字または数字を入力し、またメニュー操作等を行うための複数個のボタン群である。メイン液晶パネル６５０ｃおよびサブ液晶パネル６５０ｇは、携帯情報端末６５０の状態等を示す情報を表示する表示装置である。赤外線発光部６５０ｄは、記録再生装置６００に向けて赤外線を発する発光素子を備えている。赤外線受光部６５０ｅは、記録再生装置６００から発せられる赤外線を受光する受光素子を備えている。補助記憶媒体挿入口６５０ｈは、取外し可能な補助記憶媒体６５０ｉを挿入することができる。
【０１５９】
ＩＣタグリーダ６５０ｆは、本実施形態では携帯情報端末６５０の裏面に設けられている。しかし、本発明におけるＩＣタグリーダ６５０ｆの設置箇所は、この一例に限定されず、ユーザが、ＩＣタグリーダ６５０ｆを記録媒体１０のＩＣタグ１１に近づけ易いように設けられればよい。
【０１６０】
図２６に示すように、記録再生装置６００は、検索部１０２、コンテンツリスト記憶部１０３、時刻計測部１０４、コンテンツリスト管理部１０５、制御部１０６、媒体情報受信部１１３、および検索結果送信部１１４を備えている。記録再生装置６００は、さらに、録画コンテンツ情報記憶部１０７、記録再生処理部１０８、画像処理部１０９、および表示制御部１１０を備えている。すなわち、記録再生装置６００は、ＩＣタグ読取部１０１を有しておらず、媒体情報受信部１１３および検索結果送信部１１４を有する点において、実施形態１の記録再生装置１００と異なる。
【０１６１】
また、携帯情報端末６５０は、ＩＣタグ読取部６５１、媒体情報送信部６５２、検索結果受信部６５３、制御部６５４、および表示部６５５を備えている。
【０１６２】
ＩＣタグ読取部６５１は、実施形態１のＩＣタグ読取部１０１と同様に、ＩＣタグリーダ６５０ｆがＩＣタグ１１から読み取ったメディアＩＤを取得する。制御部６５４は、ＣＰＵが所定のプログラムを実行することにより実現される。表示部６５５は、メイン液晶パネル６５０ｈ（図２５（ａ）参照）およびサブ液晶パネル６５０ｇ（図２５（ｂ）参照）の表示を制御する。
【０１６３】
媒体情報送信部６５２は、赤外線発光部６５０ｄ（図２５（ｂ）参照）を含み、赤外線を用いて、記録再生装置６００に対し、記録媒体１０のＩＣタグ１１から読み取ったメディアＩＤを送出する。一方、媒体情報受信部１１３は、赤外線受光部１００ｆ（図２参照）を含み、媒体情報送信部６５２から送信されるメディアＩＤを受け取る。
【０１６４】
検索結果送信部１１４は、赤外線発光部（図示せず）を含み、赤外線を用いて、携帯情報端末６５０に対し、検索部１０２による検索結果を送出する。一方、検索結果受信部６５３は、赤外線受光部６５０ｅ（図２５（ｂ）参照）を含み、記録再生装置６００から送信される検索結果を受け取る。
【０１６５】
次に、携帯情報端末６５０が、記録媒体１０からメディアＩＤを読み取り、記録媒体１０に記録されているコンテンツの情報を表示する処理について説明する。
【０１６６】
図２７は、記録再生装置６００および携帯情報端末６５０の処理内容を示すフローチャートである。
【０１６７】
ユーザが、記録内容を知りたい記録媒体１０に、携帯情報端末６５０のＩＣタグリーダ６５０ｆ（図２５（ｂ）参照）を近づけることにより、携帯情報端末６５０のＩＣタグリーダ６５０ｆが、記録媒体１０のＩＣタグ１１を検知する（ステップ２７０１）と、ＩＣタグリーダ６５０ｆが、読み取り可能な範囲内に近づけられた記録媒体１０のＩＣタグ１１のメディアＩＤを読み取る。これにより、ＩＣタグ読取部６５１は、ＩＣタグ１１から読み取られたメディアＩＤを取得する（ステップ２７０２）。制御部６５４は、媒体情報送信部６５２を用いて、取得したメディアＩＤを記録再生装置６００に送信する（ステップ２７０３）。
【０１６８】
次に、媒体情報受信部１１３が、メディアＩＤを受信する（ステップ２７０４）。制御部１０６は、受信したメディアＩＤを検索部１０２へ受け渡す（ステップ２７０５）。ここでは、ＩＣタグ１１がメディアＩＤ「Ｍ２」を格納しており、コンテンツリスト記憶部１０３の内容が図４のとおりであるものとする。
【０１６９】
検索部１０２は、受け取ったメディアＩＤを検索キーとして、コンテンツリスト記憶部１０３を検索する（ステップ２７０６）。コンテンツリスト記憶部１０３の内容が図４に示す内容であるので、メディアＩＤ「Ｍ２」で検索すると、ｒ３〜ｒ７を検索結果として得ることができる。
【０１７０】
次に、制御部１０６は、検索結果送信部１１４へステップ２７０６の検索結果を受け渡し（ステップ２７０７）、検索結果送信部１１４は、受け取った検索結果を携帯情報端末６５０に送信する（ステップ２７０８）。
【０１７１】
そして、検索結果受信部６５３が、検索結果を受信する（ステップ２７０９）。制御部６５４は、受信した検索結果を表示部６５５へ受け渡し（ステップ２７１０）、表示部６５５は、受け取った検索結果をメイン液晶パネル６５０ｃに表示させる（ステップ２７１１）。ステップ２７０６の検索結果ｒ３〜ｒ７のうち、メイン液晶パネル６５０ｃに表示可能な件数（ここでは、ｒ３〜ｒ６）を抽出し、ディスク名およびタイトル名を表示させた結果が図２８（ａ）である。なお、図２８（ａ）で表示する記録媒体１０の残量を求める方法は、実施の形態１と同様である。
【０１７２】
また、ステップ２７０９において、ステップ２７０６の検索結果と共に、コンテンツに対応する画像ファイルを受信し、メイン液晶パネル６５０ｃにサムネイル画像として表示してもよい（図２８（ｂ）参照）。
【０１７３】
以上のように、本実施形態によれば、携帯情報端末６５０が、記録媒体１０のメディアＩＤをＩＣタグ１１から読み取り、記録再生装置６００へ送信する。そして記録再生装置６００において、検索部１０２が、メディアＩＤを検索キーとして、コンテンツリスト記憶部１０３を検索することにより、記録媒体１０に記録されているコンテンツの情報を取得し、携帯情報端末６５０へ送信する。携帯情報端末６５０は、これを受信し、メイン液晶パネル６５０ｃに表示する。これにより、記録再生装置６００に記録媒体１０を挿入することなく、記録再生装置６００から離れた場所から、簡単に記録媒体１０の記録内容や残容量を確認できる。
【０１７４】
本実施形態において、記録再生装置６００と携帯情報端末６５０との間におけるメディアＩＤおよび検索結果の送受信は、赤外線による通信で実現するものとしたが、これに限定されない。例えば、インターネット接続部を備えた記録再生装置６００と、インターネット接続機能を有する携帯情報端末６５０とを用いて、ユーザが外出先から携帯情報端末６５０のインターネットを経由して、自宅の記録再生装置６００にアクセスしてもよい。これにより、赤外線の届かない場所であっても、記録媒体１０の記録内容を知ることができる。
【０１７５】
また、図２８（ａ）または（ｂ）の表示態様は一例に過ぎない。メイン液晶パネル６５０ｃにおける表示態様は、記録媒体１０のコンテンツ情報が表示されていればどのような態様でもよい。コンテンツ情報を表示するのは、メイン液晶パネル６５０ｃ（図２５（ａ）参照）でなく、サブ液晶パネル６５０ｇ（図２５（ｂ）参照）でもよい。例えば、サブ液晶パネル６５０ｇに表示すれば、携帯情報端末６５０が、二つ折り可能な形状である場合に、ユーザは、携帯情報端末６５０を折りたたんだ状態のまま、ＩＣタグ１１の読み取りと、コンテンツ情報の表示を行うことができる。
【０１７６】
なお、携帯情報端末６５０と記録再生装置６００との間の通信が赤外線通信で行われる場合は、記録媒体１０のコンテンツ情報は、表示装置６５６に表示すると同時に、記録再生装置６００に接続された表示装置２０にも、表示することが好ましい。これにより、携帯情報端末６５０のメイン液晶パネル６５０ｃに表示する場合と比較して、より多くの情報を表示することができる。
【０１７７】
なお、本実施形態にかかる記録再生装置６００は、実施の形態２の記録再生装置２００と同様に、ＬＡＮ接続部１１１またはインターネット接続部１１２によって、ＬＡＮ４０上のサーバ４１またはインターネット５０上のサーバ５１に接続されてもよい。この場合、携帯情報端末６５０から受信したメディアＩＤを検索キーとして使用する際、検索部１０２は、ＬＡＮ４０上のサーバ４１のコンテンツリスト記憶部４１ａまたはインターネット５０上のサーバ５１のコンテンツリスト記憶部５１ａを検索対象とすることができる。この場合、記録再生装置６００内にコンテンツリストを記憶するためのメモリは不要である。また、記録媒体１０に割り当てられたメディアＩＤが固有であるため、コンテンツリスト記憶部４１ａまたは５１ａを、複数の記録再生装置６００で共有する場合においても、当該記録媒体１０の記録内容を導き出すことができる。
【０１７８】
さらに、本実施形態にかかる記録再生装置６００は、実施の形態３の記録再生装置３００ａ、３００ｂと同様に、ＬＡＮ接続部１１１によって、ＬＡＮ４０上に複数台接続して用いてもよい。この場合、携帯情報端末６５０から受信したメディアＩＤを検索キーとして使用する際、検索部１０２は、ＬＡＮ４０上の複数の記録再生装置６００のコンテンツリスト記憶部１０３を検索対象とすることができる。これにより、携帯情報端末６５０からメディアＩＤを送信した記録再生装置６００に、当該記録媒体１０の記録内容が記憶されていない場合、ＬＡＮ４０等に接続された複数の記録再生装置６００に対して、コンテンツ情報を検索することができる。
【０１７９】
（実施の形態７）
以下、第七の実施形態について図面を用いて説明する。
【０１８０】
本実施形態にかかる携帯情報端末は、記録再生装置のコンテンツリスト記憶部に記録されている情報を、あらかじめ補助記憶媒体に複写し、補助記憶媒体挿入口に当該補助記憶媒体を挿入して使う、携帯電話等である。しかし、携帯情報端末は、携帯電話に限らず、携帯することが可能なものであり、且つ、補助記憶媒体による記録再生装置とのデータのやり取りが可能な情報端末であればよく、ＰＤＡまたはパーソナルコンピュータ等の情報端末であってもよい。
【０１８１】
ここで、図２９を用いて、本実施形態にかかる携帯情報端末７００の機能的な構成について説明する。また、ここで説明する携帯情報端末７００としての携帯電話の外観は、図２５と同様である。
【０１８２】
図２９に示すように、携帯情報端末７００は、ＩＣタグ読取部７０１、検索部７０２、コンテンツリスト記憶部７０３、制御部７０４、および表示部７０５を備えている。
【０１８３】
ＩＣタグ読取部７０１は、図２５を参照しながら説明したＩＣタグリーダ６５０ｆを含み、記録媒体１０のＩＣタグ１１からメディアＩＤを読み取る。検索部７０２および制御部７０４は、ＣＰＵが所定のプログラムを実行することにより実現される。また、コンテンツリスト記憶部７０３は、補助記憶媒体挿入口６５０ｈ（図２５（ａ）参照）に挿入された補助記憶媒体６５０ｉで実現される。表示部７０５は、メイン液晶パネル６５０ｃ（図２５（ａ）参照）およびサブ液晶パネル６５０ｇ（図２５（ｂ）参照）の表示を制御する。
【０１８４】
次に、携帯情報端末７００が、記録媒体１０からメディアＩＤを読み取り、記録媒体１０に記録されているコンテンツの情報を表示する処理について説明する。
【０１８５】
図３０は、携帯情報端末７００の処理内容を示すフローチャートである。
【０１８６】
まず、ユーザは、例えば自宅の記録再生装置１００の第一補助記憶媒体挿入口１００ｂ（図２参照）に補助記憶媒体６５０ｉを挿入し、当該補助記憶媒体６５０ｉにコンテンツリスト記憶部１０３の内容を複写する。コンテンツリクエスト記憶部１０３の中身は、実施の形態１と同様に、当該記録再生装置１００に挿入されたことのある記録媒体１０のコンテンツ情報を記憶している。ユーザは、記録媒体１０を持って外出する際に、携帯情報端末７００の補助記憶媒体挿入口６５０ｈに補助記憶媒体６５０ｉを挿入して、外出先で使用する。
【０１８７】
ユーザが、記録内容を知りたい記録媒体１０に、携帯情報端末７００のＩＣタグリーダ６５０ｆ（図２５（ｂ）参照）を近づける。携帯情報端末７００のＩＣタグリーダ６５０ｆが、記録媒体１０のＩＣタグ１１を検知する（ステップ３００１）と、ＩＣタグリーダ６５０ｆは、読み取り可能な範囲内に近づけられた記録媒体１０のＩＣタグ１１のメディアＩＤを読み取る。これにより、ＩＣタグ読取部７０１は、ＩＣタグ１１に格納されたメディアＩＤを取得する（ステップ３００２）。
【０１８８】
次に、制御部７０４は、受信したメディアＩＤを検索部７０２へ受け渡す（ステップ３００３）。ここでは、ＩＣタグ１１がメディアＩＤ「Ｍ２」を格納しており、コンテンツリスト記憶部７０３の内容が図４のとおりであるものとする。
【０１８９】
検索部７０２は、受け取ったメディアＩＤを検索キーとして、コンテンツリスト記憶部７０３を検索する（ステップ３００４）。コンテンツリスト記憶部７０３の内容が図４に示す内容であるので、メディアＩＤ「Ｍ２」で検索すると、ｒ３〜ｒ７を検索結果として得ることができる。
【０１９０】
次に、制御部７０４は、表示部７０５へステップ３００４の検索結果を受け渡し（ステップ３００５）、表示部７０５は、受け取った検索結果をメイン液晶パネル６５０ｃ（図２５（ａ）参照）に表示する（ステップ３００６）。ステップ３００４の検索結果ｒ３〜ｒ７のうちメイン液晶パネル６５０ｃに表示可能な件数（ここではｒ３〜ｒ６）を抽出し、ディスク名およびタイトル名を表示させた態様が図２８（ａ）である。なお、図２８（ａ）で表示する記録媒体１０の残量を求める方法は、実施の形態１と同様の方法である。また、補助記憶媒体６５０ｉにサムネイル画像を格納しておき、図２８（ｂ）に示すように、メイン液晶パネル６５０ｃに表示してもよい。
【０１９１】
以上のように、本実施形態によれば、ユーザが、記録内容を知りたい記録媒体１０に携帯情報端末７００を近づけるだけで、携帯情報端末７００が、記録媒体１０のメディアＩＤをＩＣタグ１１から読み取り、検索部７０２が、メディアＩＤを検索キーとして、コンテンツリスト記憶部７０３を検索することにより、記録媒体１０に記録されているコンテンツの情報をメイン液晶パネル６５０ｃに表示する。これにより、例えばユーザが記録媒体１０を持って外出する際に、記録再生装置のコンテンツリスト記憶部と同一内容を保持した補助記憶媒体６５０ｉを携帯情報端末７００にセットしておけば、外出先でも、簡単に記録媒体１０の記録内容や残量を確認できる。なお、本実施形態における携帯情報端末が、記録媒体１０に記録されているコンテンツの情報を表示する際の表示態様は、実施の形態６と同様である。
【０１９２】
（実施の形態８）
以下、第八の実施形態について図面を参照しながら説明する。
【０１９３】
本実施形態にかかる記録再生装置は、記録媒体１０へコンテンツを記録したり、記録媒体１０のコンテンツをテレビ受像機等の表示装置に表示したりすることができる記録再生装置であり、ユーザが録画予約をしたときに、コンテンツリスト記憶部に記憶されている情報に基づき、予約されたコンテンツをどの記録媒体１０へ記録することが可能かを表示する機能を持つ。
【０１９４】
ここで、図３１を用いて、本実施の形態にかかる記録再生装置８００の構成について説明する。図３１は、本実施形態の記録再生装置の機能的な構成を示すブロック図である。なお、本実施形態において、実施の形態１の記録再生装置１００と同様の機能を実現する構成に関しては、図３１において実施の形態１と同一の番号を付番し、説明を省略する。また、ここで説明する記録再生装置８００の外観は、図２と同様である。
【０１９５】
図３１に示すように、記録再生装置８００は、ＩＣタグ読取部１０１、検索部１０２、コンテンツリスト記憶部８０３、時刻計測部１０４、コンテンツリスト管理部１０５、および制御部１０６を備えている。また、記録再生装置８００は、録画時間記憶部１１６、空き容量記憶部１１８、および比較部１１９を備えている。記録再生装置８００は、さらに、録画予約情報記憶部１２０、記録再生処理部１０８、画像処理部１０９、および表示制御部１１０を備えている。記録再生装置８００は、すなわち、コンテンツリスト記憶部１０３の代わりに、コンテンツリスト記憶部８０３を有し、録画時間記憶部１１６、空き容量記憶部１１８、比較部１１９、および録画予約情報記憶部１２０を有する点において、実施形態１の記録再生装置１００と異なる。
【０１９６】
比較部１１９は、ＣＰＵが所定のプログラムを実行することにより実現される。録画時間記憶部１１６および空き容量記憶部１１８は、メモリ等を用いた一時記憶部である。また、コンテンツリスト記憶部８０３および録画予約情報記憶部１２０は、メモリあるいはハードディスクドライブ等である。
【０１９７】
次に、図３４を参照しながら、記録再生装置８００のコンテンツリスト記憶部８０３に記憶される情報について説明する。図３４は、コンテンツリスト記憶部８０３に記憶されるコンテンツリストの一例を示す説明図である。コンテンツリスト記憶部８０３は、記録再生装置８００に挿入されたことのある記録媒体１０に関して、メディアＩＤ、ディスク名、タイトル名、画像ファイル名、パス情報、録画日、総容量、空き容量、録画時間、および最終アクセス日を、各コンテンツ単位で重複することなく記憶している。すなわち、コンテンツリスト記憶部８０３は、実施の形態１において、図４を参照しながら説明したコンテンツリスト記憶部１０３とは、総容量および空き容量を記憶している点で異なっている。
【０１９８】
メディアＩＤは、記録媒体１０に割り当てられた固有の識別子である。ディスク名は記録媒体１０につけられた名前であり、タイトル名は各コンテンツのタイトルである。画像ファイル名は、各コンテンツのサムネイル表示用の画像ファイルの名前である。パス情報は、コンテンツリスト記憶部８０３における、当該画像ファイルが格納される場所を示す。録画日はコンテンツを記録した日付であり、録画時間はコンテンツの記録時間である。最終アクセス日は、記録媒体１０へ記録再生装置８００が最後にアクセスした日付である。メディアＩＤ、ディスク名、タイトル名、画像ファイル名、パス情報、録画日、最終アクセス日、および録画時間は、コンテンツごとに記憶される。
【０１９９】
総容量は、記録媒体１０にユーザデータを記録することができる容量を示す。空き容量は、総容量から当該記録メディア１０に記録されている各コンテンツの録画時間を合計した数値を引いた値であり、記録媒体１０に残っている容量を示す。また、総容量および空き容量は、記録媒体１０ごとに記憶される。
【０２００】
コンテンツリスト記憶部８０３は、記録再生装置８００に記録媒体１０が挿入される都度、または記録媒体１０に対してコンテンツの記録または削除を行う都度、記録媒体１０からメディアＩＤおよびコンテンツ情報を取得し更新される。なお、メディアＩＤならびに総容量は、記録媒体１０のリードイン領域１２から取得され、コンテンツ情報は、記録媒体１０のユーザ領域１３から取得される。
【０２０１】
図３４では、録画時間、総容量、および空き容量を、分単位で表記しているが、分単位で表記する代わりに、時間単位で表記してもよいし、ビット（ｂｉｔ）、バイト（ｂｙｔｅ）等の単位を用いた記録容量を表す数値で表記してもよい。なお、図３４に示した表は、データの内容を概念的に示したものであって、実際のデータフォーマットはこの例に限定されない。
【０２０２】
次に、図３２を参照しながら、記録再生装置８００の録画予約情報記憶部１２０に記憶される情報について説明する。図３２は、録画予約情報記憶部１２０に記憶される録画予約情報の一例を示す説明図である。
【０２０３】
図３２に示すように、録画予約情報記憶部１２０は、録画対象コンテンツのそれぞれに関して、タイトル名、録画開始日時、録画終了日時、録画チャンネル、および録画時間を記憶している。これらは、ユーザによる入力か、あるいはＥＰＧ等の電子番組表から、録画を開始する以前に、録画予約として登録される。
【０２０４】
タイトル名は各コンテンツのタイトル（番組名等）である。ユーザは、記録再生装置８００の編集機能を使用することによって、タイトル名を、任意の名前に編集することができる。ＥＰＧ等を用いて予約した場合は、ここにはＥＰＧから取得した番組名が登録される。
【０２０５】
録画開始日時および録画終了日時は、コンテンツの録画を開始する日時およびコンテンツの録画を終了する日時である。録画チャンネルは、記録対象となるコンテンツが放送されるチャンネルを表している。録画時間はコンテンツの記録時間であり、録画開始日時から録画終了日時の間の時間を示している。図３２では、録画時間を、分単位で表記しているが、分単位で表記する代わりに、時間単位で表記してもよいし、ビット（ｂｉｔ）、バイト（ｂｙｔｅ）等の単位を用いた記録容量を表す数値で表記してもよい。なお、図３２は、データの内容を概念的に示したものであって、実際のデータフォーマットはこの例に限定されない。
【０２０６】
次に、記録再生装置８００が、ユーザが新たにコンテンツを記録しようとする際、どの記録媒体１０に新たに記録しようとするコンテンツを記録することが可能かを表示する際の処理について説明する。
【０２０７】
図３３は、記録再生装置８００の処理内容を示すフローチャートである。ここでは、ユーザは、図３２に示す録画予約情報ｒ８のコンテンツを録画するための記録媒体１０を探しているものとする。
【０２０８】
まず、コンテンツリスト管理部１０５は、ユーザが録画しようとしているコンテンツの情報を、録画予約情報記憶部１２０の録画予約情報から取得する（ステップ３３０１）。制御部１０６は、ステップ３３０１で取得された録画予約情報の録画時間を、録画時間記憶部１１６へ記憶する（ステップ３３０２）。ここでは、図３２に示すように、録画予約情報記憶部１２０には複数の録画予約情報が記録されているが、ユーザが録画予約情報ｒ８を指定することにより、録画予約情報ｒ８の録画時間「２０」が、録画時間記憶部１１６へ記憶される。
【０２０９】
次に、制御部１０６は、コンテンツリスト記憶部８０３に記憶されているすべての記録媒体１０について、録画対象コンテンツを記録することができるか否かについて判断する（ステップ３３０３）。このステップ３３０３の処理の詳細は次のとおりである。
【０２１０】
まず、コンテンツ管理部１０５は、コンテンツリスト記憶部８０３に記憶されているすべての記録媒体１０について、コンテンツリスト記憶部８０３に記憶されている順に先頭から、空き容量を取得し、空き容量記憶部１１８へ記憶する。そして、比較部１１９が、ステップ３３０２で録画時間記憶部１１６へ記憶した録画時間と、空き容量記憶部１１８へ記憶させた各記録媒体の空き容量とを順次比較する。これにより、コンテンツリスト記憶部８０３に記憶されているすべての記録媒体１０について、録画対象コンテンツを記録することができるか判断できる。
【０２１１】
例えば、図３４に示すコンテンツリスト記憶部８０３の先頭（図３４のｒ１２）に記憶されている記録媒体１０（メディアＩＤ「Ｍ１」）の空き容量は「１０」であり、この空き容量が、空き容量記憶部１１８へ記憶される。録画時間記憶部１１６には、ユーザが録画しようとするコンテンツの録画時間「２０」が記憶されている。従って、メディアＩＤ「Ｍ１」の記録媒体１０は、録画対象コンテンツを録画する空き容量を有していないと判断される。
【０２１２】
コンテンツリスト記憶部８０３に記憶されているすべての記録媒体１０について、録画対象コンテンツを録画できるかどうかの判断を終えた後、制御部１０６は、表示制御部１１０に、ステップ３３０３の比較結果に基づき、コンテンツリスト記憶部８０３に記録されている記録媒体１０のうち、どの記録媒体１０に、録画対象コンテンツを記録できるかを表示させる（ステップ３３０４）。ユーザによって指定された録画対象コンテンツ図３２の録画予約情報ｒ８の録画時間と、図３４に示すコンテンツリスト記憶部８０３のすべての記録媒体１０における空き容量とを比較し、表示装置２０に一覧表示させた結果の一例が、図３５である。
【０２１３】
以上のように、本実施形態によれば、記録再生装置８００のコンテンツリスト記憶部８０３に登録されている記録媒体１０について、コンテンツリスト記憶部８０３のコンテンツ情報から空き容量を取得し、録画予約したコンテンツを録画するために必要な容量と比較することで、録画予約したコンテンツを録画することが可能な記録媒体を検索してユーザにわかるように表示することができる。
【０２１４】
なお、図３５に示した例では、録画予約したコンテンツを記録することが可能な記録媒体１０について、太枠で囲むことによって強調表示した。しかし、記録再生装置８００の表示態様は、この一例に限定されない。例えば、図３３を参照しながら説明したステップ３３０３の比較結果に基づき、録画対象コンテンツを記録できる記録媒体１０だけをコンテンツリスト記憶部８０３から抽出し、抽出した記録媒体１０に関する情報を表示してもよい。これにより、ユーザは、録画可能な記録媒体１０を容易に知ることができる。
【０２１５】
（実施の形態９）
以下、第九の実施形態について図面を参照しながら説明する。
【０２１６】
本実施形態にかかる記録再生装置は、記録媒体１０へコンテンツを記録したり、記録媒体１０のコンテンツをテレビ受像機等の表示装置に表示したりすることができる記録再生装置であり、ユーザが録画予約をしたときに、コンテンツリスト記憶部に記憶されている情報に基づいて、予約されたコンテンツのタイトル名と同じタイトル名のコンテンツが記録されている記録媒体１０の情報を表示する機能を持つ。
【０２１７】
ここで、図３６を用いて、本実施の形態にかかる記録再生装置９００の構成について説明する。図３６は、本実施形態の記録再生装置の機能的な構成を示すブロック図である。なお、本実施形態において、実施の形態１または８と同様の機能を実現する構成に関しては、図３６において実施の形態１または８と同一の番号を付番し、説明を省略する。また、ここで説明する記録再生装置９００の外観は、図２と同様である。
【０２１８】
図３６に示すように、記録再生装置９００は、ＩＣタグ読取部１０１、検索部１０２、コンテンツリスト記憶部１０３、時刻計測部１０４、コンテンツリスト管理部１０５、および制御部１０６を備えている。また、記録再生装置９００は、録画タイトル名記憶部１１５、録画済タイトル名記憶部１１７、および比較部１１９を備えている。記録再生装置９００は、さらに、録画予約情報記憶部１２０、記録再生処理部１０８、画像処理部１０９、および表示制御部１１０を備えている。すなわち、記録再生装置９００は、録画タイトル名記憶部１１５、録画済タイトル名記憶部１１７、比較部１１９、および録画予約情報記憶部１２０を有する点において、実施形態１の記録再生装置１００と異なる。
【０２１９】
録画タイトル名記憶部１１５、録画済タイトル名記憶部１１７は、メモリ等を用いた一時記憶部である。
【０２２０】
次に、記録再生装置９００が、ユーザが新たにコンテンツを記録しようとする際、記録しようとするコンテンツのタイトル名と同じタイトル名のコンテンツが、どの記録媒体１０に記録されているかを表示する際の処理について説明する。
【０２２１】
図３７は、記録再生装置９００の処理内容を示すフローチャートである。ここでは、ユーザは、図３２に示す録画予約情報ｒ１０のコンテンツを録画するための記録媒体１０を探しているものとする。
【０２２２】
まず、コンテンツリスト管理部１０５は、ユーザが録画しようとしているコンテンツの情報を、録画予約情報記憶部１２０の録画予約情報から取得する（ステップ３７０１）。制御部１０６は、ステップ３７０１で取得された録画予約情報のタイトル名を、録画タイトル名記憶部１１５へ記憶する（ステップ３７０２）。ここでは、図３２に示すように、録画予約情報記憶部１２０には複数の録画予約情報が記録されているが、ユーザが録画予約情報ｒ１０を指定することにより、録画予約情報ｒ１０のタイトル名「Ｄｒａｍａ」が、録画タイトル名記憶部１１５へ記憶される。
【０２２３】
次に、制御部１０６は、コンテンツリスト記憶部１０３に記憶されているすべてのコンテンツそれぞれに関し、録画対象コンテンツのタイトル名と同じタイトル名のコンテンツであるか否かについて判断する（ステップ３７０３）。このステップ３７０３の処理の詳細は次のとおりである。
【０２２４】
まず、コンテンツリスト管理部１０５は、コンテンツリスト記憶部１０３に記憶されているすべてのコンテンツ情報について、コンテンツリスト記憶部１０３に記憶されている順に先頭から、タイトル名を取得し、録画済タイトル名記憶部１１７へ記憶する。そして、比較部１１９が、ステップ３７０２で録画タイトル名記憶部１１５へ記憶したタイトル名と、録画済タイトル名記憶部１１７へ記憶させた各コンテンツのタイトル名とを、順次比較する。これによりコンテンツリスト記憶部１０３に記憶されているすべてのコンテンツ情報について、録画対象コンテンツのタイトル名と同じタイトル名のコンテンツがあるか判断できる。
【０２２５】
例えば、図４に示すコンテンツリスト記憶部１０３の先頭（図４のｒ１）に記憶されている記録媒体１０（メディアＩＤ「Ｍ１」）のコンテンツのタイトル名は「Ｃｉｎｅｍａ１」であり、このタイトル名が、録画済タイトル名記憶部１１７へ記憶される。録画タイトル名記憶部１１５には、ユーザが録画しようとするコンテンツのタイトル名「Ｄｒａｍａ」が記憶されている。従って、メディアＩＤ「Ｍ１」の記録媒体１０の録画済コンテンツは、録画対象コンテンツと同一コンテンツではないと判断される。
【０２２６】
コンテンツリスト記憶部１０３に記憶されているすべてのコンテンツについて、録画対象コンテンツと同一コンテンツであるかどうかの判断を終えた後、制御部１０６は、表示制御部１１０に、ステップ３７０３の比較結果に基づき、コンテンツリスト記憶部１０３に記録されている記録媒体１０のうち、どの記録媒体１０が、録画対象コンテンツと同一コンテンツを記録しているかを表示させる（ステップ３７０４）。ユーザによって指定された録画対象コンテンツ（図３２の録画予約情報ｒ１０）のタイトル名と、図４に示すコンテンツリスト記憶部１０３のすべてのコンテンツにおけるタイトル名とを比較し、どの記録媒体１０に、録画対象コンテンツと同タイトルのコンテンツが記録されているかを、表示装置２０に一覧表示させた結果の一例が、図３８である。
【０２２７】
以上のように、本実施形態によれば、記録再生装置９００のコンテンツリスト記憶部１０３に登録されているすべての記録媒体１０について、コンテンツリスト記憶部１０３のコンテンツ情報から、コンテンツのタイトル名を取得し、録画予約したコンテンツのタイトル名と比較することで、録画予約したコンテンツのタイトル名と同じタイトル名のコンテンツが、どの記録媒体に記録されているかを検索することができる。これにより、例えば、ドラマ等の複数回からなる連続番組を一つの記録媒体にまとめて記録したい場合等に有用である。
【０２２８】
なお、図３８に示した例では、録画予約したコンテンツのタイトル名と同じタイトル名のコンテンツを有する記録媒体１０について、太枠で囲むことによって強調表示した。しかし、記録再生装置９００の表示態様は、この一例に限定されない。例えば、図３７を参照しながら説明したステップ３７０３の比較結果に基づき、録画対象コンテンツと同一コンテンツを記録している記録媒体１０だけをコンテンツリスト記憶部１０３から抽出し、抽出した記録媒体に関する情報を表示してもよい。これにより、ユーザは、同一コンテンツを記録している記録媒体１０を容易に知ることができる。
【０２２９】
また、本実施形態では、同一コンテンツであるか否かの判断は、コンテンツのタイトル名によって行うと記載したが、この一例に限定されない。例えば「野球」、「料理」等のようなコンテンツのカテゴリを表す名称を用いてもよいし、録画開始時間または録画チャンネル等の組み合わせを用いて、同一コンテンツであるか否かを判断してもよい。
【０２３０】
さらに、同一コンテンツであると判断するのは、各コンテンツのタイトル名が、完全にする場合に限定されない。すなわち、各コンテンツのタイトル名が、部分一致する場合についても同一コンテンツであると判断してもよい。部分一致とは、前方一致（タイトル名の文字列の先頭から数文字が一致する場合）、中間一致（タイトル名の文字列に含まれる数文字が一致する場合）、および後方一致（タイトル名の文字列の後方から数文字が一致する場合）を含む。例えば、前方一致で同一コンテンツを判断する場合であって、録画予約したコンテンツのタイトル名が「英会話」であるときには、「英会話  初級編」や「英会話  ビジネス編」も同一コンテンツであると判断される。
【０２３１】
（実施の形態１０）
以下、第十の実施形態について図面を参照しながら説明する。
【０２３２】
本実施形態にかかる記録再生装置は、記録媒体１０へコンテンツを記録したり、記録媒体１０のコンテンツをテレビ受像機等の表示装置に表示したりすることができる記録再生装置である。また、本実施形態にかかる遠隔操作装置は、当該記録再生装置に対して離れた距離から操作信号を送信することができる。
【０２３３】
図３９は、本実施形態の記録再生装置１０００および遠隔操作装置１０５０の機能的な構成を示すブロック図である。なお、記録再生装置１０００および遠隔操作装置１０５０において、実施形態１、４または８で説明した構成と同様の機能を実現する構成に関しては、図３９において、実施の形態１、４または８で説明した構成と同一番号を付番し、説明を省略する。また、記録再生装置１０００の外観は、図２と同様であり、遠隔操作装置１０５０の外観は、図１８と同様である。
【０２３４】
本実施形態では、ユーザが録画予約をしたときに、予約されたコンテンツを記録できる残容量のある記録媒体を、複数の記録媒体１０の中から、容易に探すことができるよう、ユーザが記録媒体１０のＩＣタグ１１を遠隔操作装置１０５０に設けられたＩＣタグ読取部４５１で読み取ると、その記録媒体１０に前記予約コンテンツを記録可能であるかが表示されるようになっている。
【０２３５】
図３９に示すように、記録再生装置１０００は、媒体情報受信部１１３、検索部１０２、コンテンツリスト記憶部８０３、時刻計測部１０４、コンテンツリスト管理部１０５、および制御部１０６を備えている。また、記録再生装置１０００は、録画時間記憶部１１６、空き容量記憶部１１８、比較部１１９、および比較結果送信部１２１を備えている。記録再生装置１０００は、さらに、録画予約情報記憶部１２０、記録再生処理部１０８、画像処理部１０９、および表示制御部１１０を備えている。すなわち、記録再生装置１０００は、ＩＣタグ読取部１０１の代わりに、媒体情報受信部１１３と比較結果送信部１２１とを有し、コンテンツリスト記憶部１０３の代わりにコンテンツリスト記憶部８０３を有し、録画時間記憶部１１６、空き容量記憶部１１８、比較部１１９および比較結果送信部１２１を有する点において、実施形態１の記録再生装置１００と異なる。
【０２３６】
遠隔操作装置１０５０は、ＩＣタグ読取部４５１、媒体情報送信部４５２、比較結果受信部４５６、制御部４５４、および表示部４５５を備えている。すなわち、遠隔操作装置１０５０は、検索結果受信部４５３の代わりに、比較結果受信部４５６を有する点において、実施形態４の遠隔操作装置４５０と異なる。
【０２３７】
比較結果送信部１２１は、赤外線発光部（図示せず）を含み、赤外線を用いて、遠隔操作装置１０５０に対し、比較部１１９による比較結果を送出する。一方、比較結果受信部４５６は、赤外線受光部４５０ｅ（図１８参照）を含み、比較結果送信部１２１から送信される比較結果を受け取る。
【０２３８】
コンテンツリスト記憶部８０３に記憶される情報は、実施の形態８と同様である。図３４は、コンテンツリスト記憶部８０３に記憶されるコンテンツリストの一例を示す説明図である。
【０２３９】
図３４に示すように、コンテンツリスト記憶部８０３は、記録再生装置１０００に挿入されたことのある記録媒体１０に関して、メディアＩＤ、ディスク名、タイトル名、画像ファイル名、パス情報、録画日、総容量、空き容量、録画時間、および最終アクセス日を、各コンテンツ単位で重複することなく記憶している。
【０２４０】
記録再生装置１０００の録画予約情報記憶部１２０に記録される情報は、実施の形態８と同様である。図３２は、録画予約情報記憶部１２０に記憶するコンテンツリストの一例を示す説明図である。
【０２４１】
図３２に示すように、録画予約情報記憶部１２０は、録画対象コンテンツのそれぞれに関して、タイトル名、録画開始日時、録画終了日時、録画チャンネル、および録画時間を記憶している。これらは、ユーザによる入力か、あるいはＥＰＧ等の電子番組表から、録画を開始する以前に、録画予約として登録される。
【０２４２】
なお、図３２および図３４に示した表は、データの内容を概念的に示したものであって、実際のデータフォーマットはこの例に限定されない。
【０２４３】
図４０は、記録再生装置１０００の処理内容を示すフローチャートである。ここでは、ユーザは、図３２に示す録画予約情報ｒ８のコンテンツを録画するための記録媒体１０を探しているものとする。
【０２４４】
まず、コンテンツリスト管理部１０５は、ユーザが録画しようとしているコンテンツの情報を、録画予約情報記憶部１２０の録画予約情報から取得する（ステップ４００１）。制御部１０６は、録画予約情報の録画時間を、録画時間記憶部１１６へ記憶する（ステップ４００２）。ここでは、図３２に示すように、録画予約情報記憶部１２０には複数の録画予約情報が記録されているが、ユーザが録画予約情報ｒ８を指定することにより、録画予約情報ｒ８の録画時間「２０」が、録画時間記憶部１１６へ記憶される。
【０２４５】
次に、ユーザは、録画しようとするコンテンツを録画することができるかを確認したい記録媒体１０に、遠隔操作装置１０５０のＩＣタグリーダ４５０ｆ（図１８参照）を近づける。遠隔操作装置１０５０のＩＣタグリーダ４５０ｆが、読み取り可能範囲内の記録媒体１０のＩＣタグ１１を検知する（ステップ４００３）と、ＩＣタグリーダ４５０ｆは、読み取り可能範囲内の記録媒体１０のＩＣタグ１１のメディアＩＤを読み取る。これにより、ＩＣタグ読取部４５１は、ＩＣタグ１１に格納されたメディアＩＤを取得する（ステップ４００４）。制御部４５４は、媒体情報送信部４５２を用いて、取得したメディアＩＤを記録再生装置１０００に送信する（ステップ４００５）。
【０２４６】
そして、媒体情報受信部１１３が、遠隔操作装置１０５０からメディアＩＤを受信する（ステップ４００６）。制御部１０６は、受信したメディアＩＤを検索部１０２へ受け渡す（ステップ４００７）。ここでは、ＩＣタグ１１がメディアＩＤ「Ｍ１」を格納しており、コンテンツリスト記憶部８０３の内容が図３４のとおりであるものとする。
【０２４７】
制御部１０６は、検索部１０２に、受け取ったメディアＩＤを検索キーとして、コンテンツリスト記憶部８０３を検索させ、受け取ったメディアＩＤに該当する記録媒体１０に、録画対象コンテンツを記録するための残容量があるか否かについて判断させる（ステップ４００８）。ステップ４００８の判断は、空き容量記憶部１１８に記憶された空き容量と、録画時間記憶部１１６に記憶された録画時間とを比較することにより行われる。
【０２４８】
例えば、図３４に示すコンテンツリスト記憶部８０３から、メディアＩＤ「Ｍ１」を検索キーとして、取得される記録媒体１０（図３４のｒ１２）の空き容量は「１０」であり、この空き容量が、空き容量記憶部１１８へ記憶される。録画時間記憶部１１６には、ユーザが指定した録画しようとするコンテンツの録画時間「２０」が記憶されている。従って、メディアＩＤ「Ｍ１」の記録媒体１０は、録画対象コンテンツを録画することができないと判断される。
【０２４９】
そして、制御部１０６は、比較結果送信部１２１に、比較結果を遠隔操作装置１０５０へ送信させる（ステップ４００９）。
【０２５０】
比較結果受信部４５６は、比較結果を受信し、制御部４５４へ渡す（ステップ４０１０）。制御部４５４は、比較結果に基づき、記録媒体１０に空き容量があるか否かを、表示部４５５に液晶パネル４５０ｃ（図１８参照）へ表示させる（ステップ４０１１）。ここでは、ステップ４００８の判断により、制御部４５４が、記録媒体１０が録画対象コンテンツを録画することができないため、液晶パネル４５０ｃに、録画不可能であることを表示させる。このように、録画対象コンテンツの録画時間と、記録媒体１０の空き容量とを比較し、録画可能かどうかを遠隔操作装置１０５０の液晶パネル４５０ｃで確認することができる。このため、ユーザは、例えば、棚等に並べられた複数の記録媒体１０に遠隔操作装置１０５０を近づけて、これら複数の記録媒体１０のＩＣタグ１１を順次読み取らせることにより、それらの記録媒体１０のうちどれに録画対象コンテンツを記録することができるかを、容易に判断することができる。
【０２５１】
ステップ４０１１における表示態様は、記録媒体１０に空き容量があるか否かをユーザが理解できれば、任意の態様でよい。また、液晶パネル４５０ｃへの表示に限らず、例えば、遠隔操作装置１０５０から音を発生させて、記録媒体１０が録画対象コンテンツを録画できることをユーザに知らせる構成としてもよい。
【０２５２】
以上のように、本実施形態では、録画対象コンテンツの録画時間と、遠隔操作装置１０５０のＩＣタグリーダ４５０ｆで読み取ったメディアＩＤに対応する記録媒体１０の空き容量とを、比較する。これにより、ユーザは、複数の記録媒体１０の中から、録画しようとするコンテンツを録画することができる記録媒体１０を、容易に探すことができる。
【０２５３】
なお、本実施形態において、記録媒体１０のＩＣタグ１１を読み取るために、遠隔操作装置１０５０を用いたが、遠隔操作装置１０５０の代わりに実施の形態６で説明した携帯情報端末６５０を用いても、同等の効果が得られる。
【０２５４】
以上の実施形態では、記録媒体としてＤＶＤを例示したが、本発明の記録媒体は、ＤＶＤ等の光ディスクに限らず、磁気ディスク、光磁気ディスク等としても実施可能である。また、本発明の記録媒体は、これらのディスク状記録媒体に限定されるものでもなく、記録再生装置に対して脱着可能な任意の記録媒体として、本発明を実施可能である。また、記録済みのコンテンツの情報を確認する用途であれば、再生専用の記録媒体として実施することも可能である。
【０２５５】
なお、実施の形態１〜１０において、ＩＣタグの代わりに、バーコードを用いてもよい。この場合、ＩＣタグリーダの代わりに、バーコードリーダを用いることとなる。バーコードは、１次元コードまたは２次元コードを含み、ＱＲコード等であってもよい。
【０２５６】
また、実施の形態１〜１０において、ＩＣタグは、書き換え可能なものを用いることが好ましい。この場合、例えば、自宅以外の場所で記録媒体に新たにコンテンツを記録した際、自宅の記録再生装置のコンテンツリスト記憶部と、記録媒体のコンテンツ情報との間に齟齬が生じる。そのため、記録媒体に対してコンテンツの記録または削除が行われた場合には、当該記録媒体のＩＣタグに対して、記録媒体の記録内容が変更された旨を登録する（変更フラグをオンにする）ことが好ましい。変更フラグは、当該記録媒体が記録再生装置に挿入され、当該記録媒体のコンテンツ情報がコンテンツリスト記憶部に反映されるまで、オン状態のまま保持されるものとする。さらに、変更フラグがオンの状態で、ＩＣタグをＩＣタグリーダに読み込ませた際には、当該記録媒体のコンテンツ情報をコンテンツリスト記憶部に反映させるために、記録再生装置に挿入するように、ユーザを促すメッセージを、表示装置に表示することが好ましい。これにより、記録媒体のコンテンツ情報と、記録再生装置のコンテンツリスト記憶部のコンテンツ情報との間に不整合が起こるのを防ぐことができる。
【０２５７】
また、ＩＣタグは、記録媒体のコンテンツ情報を記録していてもよい。この場合、各実施形態において、記録再生装置または携帯情報端末におけるコンテンツリスト記憶部およびコンテンツリスト記憶部に対する検索が不要となり、ＩＣタグリーダによる読み込み結果を、表示装置に表示するだけでよい。これにより、ユーザは記録媒体のコンテンツ情報を容易に確認することができる。
【０２５８】
さらに、ＩＣタグに、記録媒体の残容量を保持し、更新することができることが好ましい。この場合、記録再生装置にＩＣタグライタを設け、記録媒体にコンテンツを記録または削除する都度、当該記録媒体のＩＣタグの残容量を更新する。これにより、記録媒体のＩＣタグをＩＣタグリーダで読み込むだけで、当該記録媒体の空き容量を容易に確認することができる。
【産業上の利用可能性】
【０２５９】
本発明は、記録媒体を記録再生装置に挿入することなく、当該記録媒体に記録されているコンテンツの情報をユーザに提示することが可能な記録媒体、記録再生装置およびその遠隔操作装置、携帯情報端末として有用である。
【図面の簡単な説明】
【０２６０】
【図１】図１（ａ）は、本発明の実施の形態１における記録媒体の構成を示す平面図であり、図１（ｂ）は、本発明の実施の形態１における他の記録媒体の別態様を示す斜視図である。
【図２】本発明の実施の形態１における記録再生装置の外観を示す正面図である。
【図３】本発明の実施の形態１における記録再生装置の機能的な構成を示すブロック図である。
【図４】本発明の実施形態におけるコンテンツリスト記憶部に格納するコンテンツリストの一例を示す説明図である。
【図５】本発明の実施の形態１における第一の処理を表すフローチャートである。
【図６】図４のコンテンツリストに対し、第一の処理を実行した後のコンテンツリストを示す説明図である。
【図７】本発明の実施の形態１における第二の処理を表すフローチャートである。
【図８】図４のコンテンツリストに対し、第二の処理を実行した後のコンテンツリストを示す説明図である。
【図９】本発明の実施の形態１における記録再生装置の処理内容を示すフローチャートである。
【図１０】本発明の実施の形態１における記録再生装置の第一の表示態様を示す説明図である。
【図１１】本発明の実施の形態１における記録再生装置の第二の表示態様を示す説明図である。
【図１２】本発明の実施の形態１における記録再生装置の第三の表示態様を示す説明図である。
【図１３】本発明の実施の形態２における記録再生装置の構成を示すブロック図である。
【図１４】本発明の実施の形態２における記録再生装置の構成の他の態様を示すブロック図である。
【図１５】本発明の実施の形態２における記録再生装置の処理内容を示すフローチャートである。
【図１６】本発明の実施の形態３における記録再生装置の構成を示すブロック図である。
【図１７】本発明の実施の形態３における記録再生装置の処理内容を示すフローチャートである。
【図１８】本発明の実施の形態４における記録再生装置の遠隔操作装置の外観を示す斜視図である。
【図１９】本発明の実施の形態４における記録再生装置および遠隔操作装置の機能的な構成を示すブロック図である。
【図２０】本発明の実施の形態４における記録再生装置および遠隔操作装置の処理内容を示すフローチャートである。
【図２１】図２１（ａ）は、本発明の実施の形態４または５における遠隔操作装置の第一の表示態様を示す説明図である。図２１（ｂ）は、本発明の実施の形態４または５における遠隔操作装置の第二の表示態様を示す説明図である。
【図２２】本発明の実施の形態５における記録再生装置および遠隔操作装置の機能的な構成を示すブロック図である。
【図２３】本発明の実施の形態５における記録再生装置および遠隔操作装置の機能的な構成の他の態様を示すブロック図である。
【図２４】本発明の実施の形態５における記録再生装置および遠隔操作装置の処理内容を示すフローチャートである。
【図２５】図２５（ａ）は、本発明の実施の形態６における携帯情報端末の外観を示す斜視図である。図２５（ｂ）は、本発明の実施の形態６における携帯情報端末を折りたたんだ状態の正面を示す正面図である。図２５（ｃ）は、本発明の実施の形態６における携帯情報端末を折りたたんだ状態の背面を示す正面図である。
【図２６】本発明の実施の形態６における記録再生装置および携帯情報端末の機能的な構成を示すブロック図である。
【図２７】本発明の実施の形態６における記録再生装置および携帯情報端末の処理内容を示すフローチャートである。
【図２８】図２８（ａ）は、本発明の実施の形態６または７における携帯情報端末の第一の表示態様を示す説明図である。図２８（ｂ）は、本発明の実施の形態６または７における携帯情報端末の第二の表示態様を示す説明図である。
【図２９】本発明の実施の形態７における携帯情報端末の機能的な構成の他の態様を示すブロック図である。
【図３０】本発明の実施の形態７における携帯情報端末の処理内容を示すフローチャートである。
【図３１】本発明の実施の形態８における記録再生装置の構成を示すブロック図である。
【図３２】本発明の実施形態における録画予約情報記憶部に格納するコンテンツリストの他の一例を示す説明図である。
【図３３】本発明の実施の形態８における記録再生装置の処理内容を示すフローチャートである。
【図３４】本発明の実施形態におけるコンテンツリスト記憶部に格納するコンテンツリストの一例を示す説明図である。
【図３５】本発明の実施の形態８における記録再生装置の表示態様を示す説明図である。
【図３６】本発明の実施の形態９における記録再生装置の構成を示すブロック図である。
【図３７】本発明の実施の形態９における記録再生装置の処理内容を示すフローチャートである。
【図３８】本発明の実施の形態９における記録再生装置の表示態様を示す説明図である。
【図３９】本発明の実施の形態１０における記録再生装置および遠隔操作装置の構成を示すブロック図である。
【図４０】本発明の実施の形態１０における記録再生装置の処理内容を示すフローチャートである。
【符号の説明】
【０２６１】
１０                                                記録媒体
１１                                                非接触記憶部
１２                                                リードイン領域
１３                                                ユーザ領域
１４                                                リードアウト領域
１５                                                クランパエリア
２０                                                表示装置
２１、２２                                          前画面／次画面ボタン
４０                                                ＬＡＮ（構内回線）
４１                                                サーバ
４１ａ、５１ａ                                      コンテンツリスト記憶部
５０                                                インターネット
５１                                                サーバ
１００、２００、３００ａ、３００ｂ、４００、５００、６００、８００、９００、１０００      記録再生装置
１００ａ、４５０ａ、６５０ａ、７５０ａ              電源ボタン
１００ｂ                                            第一補助記憶媒体
１００ｃ                                            第二補助記憶媒体
１００ｄ                                            記録媒体挿入口
１００ｅ、４５０ｃ                                  液晶パネル
１００ｆ、４５０ｅ、６５０ｅ                        赤外線受光部
１００ｇ、４５０ｆ、６５０ｆ                        ＩＣタグリーダ
１０１、４５１、６５１、７０１                      ＩＣタグ読取部
１０２、７０２                                      検索部
１０３、７０３、８０３0                              コンテンツリスト記憶部
１０４                                              時刻計測部
１０５                                              コンテンツリスト管理部
１０６、４５４、６５４、７０４                      制御部
１０７                                              録画コンテンツ情報記憶部
１０８                                              記録再生処理部
１０９                                              画像処理部
１１０                                              表示制御部
１１１                                              ＬＡＮ接続部
１１２                                              インターネット接続部
１１３                                              媒体情報受信部
１１４                                              検索結果送信部
１１５                                              録画タイトル名記憶部
１１６                                              録画時間記憶部
１１７                                              録画済タイトル名記憶部
１１８                                              空き容量記憶部
１１９                                              比較部
１２０                                              録画予約情報記憶部
１２１                                              比較結果送信部
４５０、１０５０                                    遠隔操作装置
４５０ｂ、６５０ｂ                                  操作ボタン群
４５０ｄ、６５０ｄ                                  赤外線発光部
４５２、６５２                                      媒体情報送信部
４５３、６５３                                      検索結果受信部
４５５、６５５、７０５                              表示部
４５６                                              比較結果受信部
６５０、７００                                      携帯情報端末
６５０ｃ                                            メイン液晶パネル
６５０ｇ                                            サブ液晶パネル
６５０ｈ                                            補助記憶媒体挿入口
６５０ｉ                                            補助記憶媒体
【図１】
2005302135.tif 000003
【図２】
2005302135.tif 000004
【図３】
2005302135.tif 000005
【図４】
2005302135.tif 000006
【図５】
2005302135.tif 000007
【図６】
2005302135.tif 000008
【図７】
2005302135.tif 000009
【図８】
2005302135.tif 000010
【図９】
2005302135.tif 000011
【図１０】
2005302135.tif 000012
【図１１】
2005302135.tif 000013
【図１２】
2005302135.tif 000014
【図１３】
2005302135.tif 000015
【図１４】
2005302135.tif 000016
【図１５】
2005302135.tif 000017
【図１６】
2005302135.tif 000018
【図１７】
2005302135.tif 000019
【図１８】
2005302135.tif 000020
【図１９】
2005302135.tif 000021
【図２０】
2005302135.tif 000022
【図２１】
2005302135.tif 000023
【図２２】
2005302135.tif 000024
【図２３】
2005302135.tif 000025
【図２４】
2005302135.tif 000026
【図２５】
2005302135.tif 000027
【図２６】
2005302135.tif 000028
【図２７】
2005302135.tif 000029
【図２８】
2005302135.tif 000030
【図２９】
2005302135.tif 000031
【図３０】
2005302135.tif 000032
【図３１】
2005302135.tif 000033
【図３２】
2005302135.tif 000034
【図３３】
2005302135.tif 000035
【図３４】
2005302135.tif 000036
【図３５】
2005302135.tif 000037
【図３６】
2005302135.tif 000038
【図３７】
2005302135.tif 000039
【図３８】
2005302135.tif 000040
【図３９】
2005302135.tif 000041
【図４０】
2005302135.tif 000042